(57)【特許請求の範囲】
【請求項１】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号から軟判定値と硬判定値とを出力する等化手段と、
前記等化手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項２】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号から軟判定値と硬判定値とを出力する等化手段と、
前記等化手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項３】
さらに、
前記受信信号に含まれる雑音電力を推定する雑音電力推定手段と、
前記選択手段が出力する軟判定値を雑音電力推定値で除算することにより補正する軟判定値補正手段と、
を備えることを特徴とする請求の範囲第２項または第３項に記載の無線通信用受信装置。
【請求項４】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号のレベル調整を行うレベル調整手段と、
前記レベル調整後の受信信号から軟判定値と硬判定値とを出力する等化手段と、
前記等化手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
前記選択手段が出力する軟判定値をレベル調整量で除算することにより補正する軟判定値補正手段と、
を備えることを特徴とする無線通信用受信装置。
【請求項５】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号のレベル調整を行うレベル調整手段と、
前記レベル調整後の受信信号から軟判定値と硬判定値とを出力する等化手段と、
前記等化手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
前記選択手段が出力する軟判定値をレベル調整量で除算することにより補正する軟判定値補正手段と、
を備えることを特徴とする無線通信用受信装置。
【請求項６】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号から軟判定値と硬判定値とを出力する等化手段と、
前記受信信号に含まれる雑音電力を推定する雑音電力推定手段と、
前記軟判定値を雑音電力推定値で除算することにより補正する軟判定値補正手段と、
前記軟判定値補正手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項７】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号から軟判定値と硬判定値とを出力する等化手段と、
前記受信信号に含まれる雑音電力を推定する雑音電力推定手段と、
前記軟判定値を雑音電力推定値で除算することにより補正する軟判定値補正手段と、
前記軟判定値補正手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項８】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号のレベル調整を行うレベル調整手段と、
前記レベル調整後の受信信号から軟判定値と硬判定値とを出力する等化手段と、
前記軟判定値をレベル調整量で除算することにより補正する軟判定値補正手段と、
前記軟判定値補正手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項９】
受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備える無線通信用受信装置において、
前記軟判定手段は、
前記受信信号のレベル調整を行うレベル調整手段と、
前記レベル調整後の受信信号から軟判定値と硬判定値とを出力する等化手段と、
前記軟判定値をレベル調整量で除算することにより補正する軟判定値補正手段と、
前記軟判定値補正手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項１０】
さらに、前記Ａ／Ｄ変換手段が出力する受信信号に基づいて伝送路特性を推定する第１の伝送路特性推定手段と、
前記伝送路特性推定値に基づいて、前記受信信号に対して時間反転を行うか、または行わないかを制御する時間反転制御手段と、
前記時間反転制御手段の制御に従って前記受信信号に対する処理を行い、前記軟判定手段に対してその処理結果を出力する受信信号反転／非反転手段と、
前記時間反転制御手段の制御に従って、前記軟判定手段出力の軟判定値を時間反転前の順に戻す軟判定値反転／非反転手段と、
を備え、
前記軟判定手段は、前記受信信号反転／非反転手段出力の信号に対して軟判定処理を行い、
前記誤り訂正手段は、前記軟判定値反転／非反転手段出力の信号に対して誤り訂正を実施することを特徴とする請求の範囲第１項〜第９項のいずれか一つに記載の無線通信用受信装置。
【請求項１１】
前記軟判定手段として、伝送路特性の逐次更新を行わない第１の軟判定手段と伝送路特性の逐次更新を行う第２の軟判定手段とを備え、
さらに、前記Ａ／Ｄ変換手段が出力する受信信号に基づいて伝送路特性を推定する第１の伝送路特性推定手段と、
前記伝送路特性推定値に基づいて、前記第１の軟判定手段と前記第２の軟判定手段から、使用する軟判定手段を選択する軟判定選択手段と、
を備えることを特徴とする請求の範囲第１項〜第９項のいずれか一つに無線通信用受信装置。
【請求項１２】
前記軟判定手段として、伝送路特性の逐次更新を行わない第１の軟判定手段と伝送路特性の逐次更新を行う第２の軟判定手段とを備え、
さらに、前記Ａ／Ｄ変換手段が出力する受信信号に基づいて伝送路特性を推定する第１の伝送路特性推定手段と、
前記伝送路特性推定値に基づいて、前記第１の軟判定手段と前記第２の軟判定手段から、使用する軟判定手段を選択する軟判定選択手段と、
前記伝送路特性推定値に基づいて、前記受信信号に対して時間反転を行うか、または行わないかを制御する時間反転制御手段と、
前記時間反転制御手段の制御に従って前記受信信号に対する処理を行い、前記選択された軟判定手段に対してその処理結果を出力する受信信号反転／非反転手段と、
前記時間反転制御手段の制御に従って、前記選択された軟判定手段出力の軟判定値を時間反転前の順に戻す軟判定値反転／非反転手段と、
を備え、
前記選択された軟判定手段は、前記受信信号反転／非反転手段出力の信号に対して軟判定処理を行い、
前記誤り訂正手段は、前記軟判定値反転／非反転手段出力の信号に対して誤り訂正を実施することを特徴とする請求の範囲第１項〜第９項のいずれか一つに記載の無線通信用受信装置。
【請求項１３】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記枝単位のパスメトリックから軟判定値を生成する軟判定値生成手段と、
を備えることを特徴とする請求の範囲第１項〜第９項のいずれか一つに記載の無線通信用受信装置。
【請求項１４】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記生き残りパスメトリックから軟判定値を生成する軟判定値生成手段と、
を備えることを特徴とする請求の範囲第１項〜第９項のいずれか一つに記載の無線通信用受信装置。
【請求項１５】
前記レプリカ生成手段は、前記伝送路特性の推定値に加えて、さらに、前記パス選択情報を用いて、受信信号のレプリカを生成することを特徴とする請求の範囲第１３項に記載の無線通信用受信装置。
【請求項１６】
前記第２の伝送路特性推定手段は、さらに、前記パス選択情報を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第１５項に記載の無線通信用受信装置。
【請求項１７】
前記第２の伝送路特性推定手段は、さらに、前記パス選択情報を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第１５項に記載の無線通信用受信装置。
【請求項１８】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第１５項に記載の無線通信用受信装置。
【請求項１９】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第１５項に記載の無線通信用受信装置。
【請求項２０】
前記第２の伝送路特性推定手段は、さらに、前記パス選択情報に基づいてステート単位に受信信号の伝送路特性を逐一更新し、
前記レプリカ生成手段は、前記ステート単位の伝送路特性が更新される度に、前記パス選択情報を用いて、各枝に対応する受信信号のレプリカを更新することを特徴とする請求の範囲第１５項に記載の無線通信用受信装置。
【請求項２１】
前記軟判定値生成手段は、
前記枝単位のパスメトリックもしくは生き残りパスメトリックに基づいて、シンボル単位に最尤メトリックを選択するシンボル単位最尤メトリック選択手段と、
前記シンボル単位の最尤メトリックに基づいて、ビット単位に最尤メトリックを選択するビット単位最尤メトリック選択手段と、
ビット単位の最尤メトリックの差を計算するメトリック差計算手段と、
を備えることを特徴とする請求の範囲１３項に記載の無線通信用受信装置。
【請求項２２】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記枝単位のパスメトリックから軟判定値を生成する軟判定値生成手段と、
を備えることを特徴とする請求の範囲第１０項に記載の無線通信用受信装置。
【請求項２３】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記生き残りパスメトリックから軟判定値を生成する軟判定値生成手段と、
を備えることを特徴とする請求の範囲第１０項に記載の無線通信用受信装置。
【請求項２４】
前記レプリカ生成手段は、前記伝送路特性の推定値に加えて、さらに、前記パス選択情報を用いて、受信信号のレプリカを生成することを特徴とする請求の範囲第２２項に記載の無線通信用受信装置。
【請求項２５】
前記第２の伝送路特性推定手段は、さらに、前記パス選択情報を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第２４項に記載の無線通信用受信装置。
【請求項２６】
前記第２の伝送路特性推定手段は、さらに、前記パス選択情報を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第２４項に記載の無線通信用受信装置。
【請求項２７】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第２４項に記載の無線通信用受信装置。
【請求項２８】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第２４項に記載の無線通信用受信装置。
【請求項２９】
前記第２の伝送路特性推定手段は、さらに、前記パス選択情報に基づいてステート単位に受信信号の伝送路特性を逐一更新し、
前記レプリカ生成手段は、前記ステート単位の伝送路特性が更新される度に、前記パス選択情報を用いて、各枝に対応する受信信号のレプリカを更新することを特徴とする請求の範囲第２４項に記載の無線通信用受信装置。
【請求項３０】
前記軟判定値生成手段は、
前記枝単位のパスメトリックもしくは生き残りパスメトリックに基づいて、シンボル単位に最尤メトリックを選択するシンボル単位最尤メトリック選択手段と、
前記シンボル単位の最尤メトリックに基づいて、ビット単位に最尤メトリックを選択するビット単位最尤メトリック選択手段と、
ビット単位の最尤メトリックの差を計算するメトリック差計算手段と、
を備えることを特徴とする請求の範囲第２２項に記載の無線通信用受信装置。
【請求項３１】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記枝単位のパスメトリックから軟判定値を生成する軟判定値生成手段と、
を備えることを特徴とする請求の範囲第１１項に記載の無線通信用受信装置。
【請求項３２】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記生き残りパスメトリックから軟判定値を生成する軟判定値生成手段と、
を備えることを特徴とする請求の範囲第１１項に記載の無線通信用受信装置。
【請求項３３】
前記レプリカ生成手段は、前記伝送路特性の推定値に加えて、さらに、前記パス選択情報を用いて、受信信号のレプリカを生成することを特徴とする請求の範囲第３１項に記載の無線通信用受信装置。
【請求項３４】
前記第２の伝送路特性推定手段は、さらに、前記パス選択情報を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第３３項に記載の無線通信用受信装置。
【請求項３５】
前記第２の伝送路特性推定手段は、さらに、前記パス選択情報を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第３３項に記載の無線通信用受信装置。
【請求項３６】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第３３項に記載の無線通信用受信装置。
【請求項３７】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第３３項に記載の無線通信用受信装置。
【請求項３８】
前記第２の伝送路特性推定手段は、さらに、前記パス選択情報に基づいてステート単位に受信信号の伝送路特性を逐一更新し、
前記レプリカ生成手段は、前記ステート単位の伝送路特性が更新される度に、前記パス選択情報を用いて、各枝に対応する受信信号のレプリカを更新することを特徴とする請求の範囲第３３項に記載の無線通信用受信装置。
【請求項３９】
前記軟判定値生成手段は、
前記枝単位のパスメトリックもしくは生き残りパスメトリックに基づいて、シンボル単位に最尤メトリックを選択するシンボル単位最尤メトリック選択手段と、
前記シンボル単位の最尤メトリックに基づいて、ビット単位に最尤メトリックを選択するビット単位最尤メトリック選択手段と、
ビット単位の最尤メトリックの差を計算するメトリック差計算手段と、
を備えることを特徴とする請求の範囲第３１項に記載の無線通信用受信装置。
【請求項４０】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記枝単位のパスメトリックから軟判定値を生成する軟判定値生成手段と、
を備えることを特徴とする請求の範囲第１２項に記載の無線通信用受信装置。
【請求項４１】
前記等化手段は、
前記受信信号の伝送路特性を推定する第２の伝送路特性推定手段と、
前記伝送路特性の推定値に基づいて受信信号のレプリカを生成するレプリカ生成手段と、
前記レプリカと前記受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記生き残りパスメトリックから軟判定値を生成する軟判定値生成手段と、
を備えることを特徴とする請求の範囲第１２項に記載の無線通信用受信装置。
【請求項４２】
前記レプリカ生成手段は、前記伝送路特性の推定値に加えて、さらに、前記パス選択情報を用いて、受信信号のレプリカを生成することを特徴とする請求の範囲第４０項に記載の無線通信用受信装置。
【請求項４３】
前記第２の伝送路特性推定手段は、さらに、前記パス選択情報を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第４２項に記載の無線通信用受信装置。
【請求項４４】
前記第２の伝送路特性推定手段は、さらに、前記パス選択情報を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第４２項に記載の無線通信用受信装置。
【請求項４５】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、前記伝送路特性の推定値が更新される度に、各枝に対応する受信信号のレプリカを更新することを特徴とする請求の範囲第４２項に記載の無線通信用受信装置。
【請求項４６】
前記第２の伝送路特性推定手段は、さらに、前記硬判定系列推定手段が出力する硬判定値を受け取り、適応アルゴリズムを用いて受信信号の伝送路特性を逐一更新し、
前記レプリカ生成手段は、予め規定された特定周期で、各枝に対応する受信信号のレプリカを更新することを特徴とする請求の範囲第４２項に記載の無線通信用受信装置。
【請求項４７】
前記第２の伝送路特性推定手段は、さらに、前記パス選択情報に基づいてステート単位に受信信号の伝送路特性を逐一更新し、
前記レプリカ生成手段は、前記ステート単位の伝送路特性が更新される度に、前記パス選択情報を用いて、各枝に対応する受信信号のレプリカを更新することを特徴とする請求の範囲第４２項に記載の無線通信用受信装置。
【請求項４８】
前記軟判定値生成手段は、
前記枝単位のパスメトリックもしくは生き残りパスメトリックに基づいて、シンボル単位に最尤メトリックを選択するシンボル単位最尤メトリック選択手段と、
前記シンボル単位の最尤メトリックに基づいて、ビット単位に最尤メトリックを選択するビット単位最尤メトリック選択手段と、
ビット単位の最尤メトリックの差を計算するメトリック差計算手段と、
を備えることを特徴とする請求の範囲第４０項に記載の無線通信用受信装置。
【請求項４９】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号から軟判定値と硬判定値とを出力する等化手段と、
前記等化手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５０】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号から軟判定値と硬判定値とを出力する等化手段と、
前記等化手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５１】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号に含まれる雑音電力を個別に推定する雑音電力推定手段と、
前記Ｐ系統の受信信号、および前記Ｐ系統の雑音電力の推定値から、軟判定値と硬判定値とを出力する等化手段と、
前記等化手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５２】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号に含まれる雑音電力を個別に推定する雑音電力推定手段と、
前記Ｐ系統の受信信号、および前記Ｐ系統の雑音電力の推定値から、軟判定値と硬判定値とを出力する等化手段と、
前記等化手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５３】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号のレベル調整を個別に行うレベル調整手段と、
前記Ｐ系統の受信信号、および前記Ｐ系統のレベル調整量から、軟判定値と硬判定値とを出力する等化手段と、
前記等化手段から受け取ったシンボル単位の軟判定値を硬判定値に変換する軟判定値／硬判定値変換手段と、
前記変換後の硬判定値と、前記等化手段から受け取ったシンボル単位の硬判定値と、を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５４】
受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備える無線通信用受信装置において、
前記軟判定手段は、
前記Ｐ系統の受信信号のレベル調整を個別に行うレベル調整手段と、
前記Ｐ系統の受信信号、および前記Ｐ系統のレベル調整量から、軟判定値と硬判定値とを出力する等化手段と、
前記等化手段から受け取ったビット単位の軟判定値を硬判定値に変換する軟判定値／硬判定値変換手段と、
前記等化手段の出力するシンボル単位の硬判定値をビット単位の硬判定値に変換するビット変換手段と、
前記変換後の硬判定値同士を比較する比較手段と、
前記比較結果が一致する場合に軟判定値を選択し、不一致の場合には硬判定値を選択し、選択後の判定値を軟判定値として出力する選択手段と、
を備えることを特徴とする無線通信用受信装置。
【請求項５５】
前記等化手段は、
前記Ｐ系統の受信信号の伝送路特性を個別に推定する伝送路特性推定手段と、
前記Ｐ系統の伝送路特性の推定値に基づいて、Ｐ系統の受信信号のレプリカを生成するレプリカ生成手段と、
前記Ｐ系統のレプリカと前記Ｐ系統の受信信号に基づいて枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記枝単位のパスメトリックから軟判定値を生成する軟判定値生成手段と、
を備えることを特徴とする請求の範囲第４９項〜第５４項のいずれか一つに記載の無線通信用受信装置。
【請求項５６】
前記等化手段は、
前記Ｐ系統の受信信号の伝送路特性を個別に推定する伝送路特性推定手段と、
前記Ｐ系統の伝送路特性の推定値に基づいて、Ｐ系統の受信信号のレプリカを生成するレプリカ生成手段と、
前記Ｐ系統のレプリカと前記Ｐ系統の受信信号に基づいて、枝メトリックを計算する枝メトリック生成手段と、
前記枝メトリックと生き残りパスメトリックとを加算し、その結果をパスメトリックとして出力する加算手段と、
前記枝単位のパスメトリックに基づいて生き残りパスメトリックを選択し、さらに、どのパスを選択したかを示すパス選択情報を生成する生き残りパス選択手段と、
前記パス選択情報に基づいて硬判定値を推定する硬判定系列推定手段と、
前記生き残りパスメトリックから軟判定値を生成する軟判定値生成手段と、
を備えることを特徴とする請求の範囲第４９項〜第５４項のいずれか一つに記載の無線通信用受信装置。
【請求項５７】
前記レプリカ生成手段は、前記伝送路特性の推定値に加えて、さらに、前記パス選択情報を用いて、受信信号のレプリカを生成することを特徴とする請求の範囲第５５項に記載の無線通信用受信装置。
【請求項５８】
前記伝送路特性推定手段は、さらに、前記パス選択情報を受け取り、適応アルゴリズムを用いて、Ｐ系統の受信信号の伝送路特性を逐一更新し、
前記レプリカ生成手段は、前記伝送路特性の推定値が更新される度に、各枝に対応するＰ系統の受信信号のレプリカを更新することを特徴とする請求の範囲第５７項に記載の無線通信用受信装置。
【請求項５９】
前記伝送路特性推定手段は、さらに、前記パス選択情報を受け取り、適応アルゴリズムを用いて、Ｐ系統の受信信号の伝送路特性を逐一更新し、
前記レプリカ生成手段は、予め規定された特定周期で、各枝に対応するＰ系統の受信信号のレプリカを更新することを特徴とする請求の範囲第５７項に記載の無線通信用受信装置。
【請求項６０】
前記伝送路特性推定手段は、さらに、前記硬判定系列推定手段が出力する硬判定値を受け取り、適応アルゴリズムを用いて、Ｐ系統の受信信号の伝送路特性を逐一更新し、
前記レプリカ生成手段は、前記伝送路特性の推定値が更新される度に、各枝に対応するＰ系統の受信信号のレプリカを更新することを特徴とする請求の範囲第５７項に記載の無線通信用受信装置。
【請求項６１】
前記伝送路特性推定手段は、さらに、前記硬判定系列推定手段が出力する硬判定値を受け取り、適応アルゴリズムを用いて、Ｐ系統の受信信号の伝送路特性を逐一更新し、
前記レプリカ生成手段は、予め規定された特定周期で、各枝に対応するＰ系統の受信信号のレプリカを更新することを特徴とする請求の範囲第５７項に記載の無線通信用受信装置。
【請求項６２】
前記伝送路特性推定手段は、さらに、前記パス選択情報に基づいて、ステート単位にＰ系統の受信信号の伝送路特性を逐一更新し、
前記レプリカ生成手段は、前記ステート単位の伝送路特性が更新される度に、前記パス選択情報を用いて、各枝に対応するＰ系統の受信信号のレプリカを更新することを特徴とする請求の範囲第５７項に記載の無線通信用受信装置。
【請求項６３】
前記枝メトリック生成手段は、前記Ｐ系統のレプリカ、前記Ｐ系統の受信信号、およびＰ系統の受信信号の雑音電力推定値、に基づいて枝メトリックを計算することを特徴とする請求の範囲第５５項に記載の無線通信用受信装置。
【請求項６４】
前記枝メトリック生成手段は、前記Ｐ系統のレプリカ、前記Ｐ系統の受信信号、およびＰ系統の受信信号のレベル調整量、に基づいて枝メトリックを計算することを特徴とする請求の範囲第５５項に記載の無線通信用受信装置。
【請求項６５】
前記軟判定値生成手段は、
前記枝単位のパスメトリックもしくは生き残りパスメトリックに基づいて、シンボル単位に最尤メトリックを選択するシンボル単位最尤メトリック選択手段と、
前記シンボル単位の最尤メトリックに基づいて、ビット単位に最尤メトリックを選択するビット単位最尤メトリック選択手段と、
ビット単位の最尤メトリックの差を計算するメトリック差計算手段と、
を備えることを特徴とする請求の範囲第５５項に記載の無線通信用受信装置。
【請求項６６】
受信信号の復調結果として軟判定値を出力し、前記軟判定値に対して誤り訂正を実施する受信方法において、
前記受信信号から軟判定値と硬判定値とを出力する判定値出力ステップと、
前記判定値出力ステップの実行により出力されたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
前記受信信号に含まれる雑音電力を推定する雑音電力推定ステップと、
前記選択ステップの実行により出力された軟判定値を雑音電力推定値で除算することにより補正する軟判定値補正ステップと、
を含むことを特徴とする受信方法。
【請求項６７】
受信信号の復調結果として軟判定値を出力し、前記軟判定値に対して誤り訂正を実施する受信方法において、
前記受信信号から軟判定値と硬判定値とを出力する判定値出力ステップと、
前記判定値出力ステップの実行により出力されたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
前記受信信号に含まれる雑音電力を推定する雑音電力推定ステップと、
前記選択ステップの実行により出力された軟判定値を雑音電力推定値で除算することにより補正する軟判定値補正ステップと、
を含むことを特徴とする受信方法。
【請求項６８】
受信信号の復調結果として軟判定値を出力し、前記軟判定値に対して誤り訂正を実施する受信方法において、
前記受信信号のレベル調整を行うレベル調整ステップと、
前記レベル調整後の受信信号から軟判定値と硬判定値とを出力する判定値出力ステップと、
前記判定値出力ステップの実行により出力されたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
前記選択ステップの実行により出力された軟判定値をレベル調整量で除算することにより補正する軟判定値補正ステップと、
を含むことを特徴とする受信方法。
【請求項６９】
受信信号の復調結果として軟判定値を出力し、前記軟判定値に対して誤り訂正を実施する受信方法において、
前記受信信号のレベル調整を行うレベル調整ステップと、
前記レベル調整後の受信信号から軟判定値と硬判定値とを出力する判定値出力ステップと、
前記判定値出力ステップの実行により出力されたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
前記選択ステップの実行により出力された軟判定値をレベル調整量で除算することにより補正する軟判定値補正ステップと、
を含むことを特徴とする受信方法。
【請求項７０】
受信信号の復調結果として軟判定値を出力し、前記軟判定値に対して誤り訂正を実施する受信方法において、
前記受信信号から軟判定値と硬判定値とを出力する判定値出力ステップと、
前記受信信号に含まれる雑音電力を推定する雑音電力推定ステップと、
前記軟判定値を雑音電力推定値で除算することにより補正する軟判定値補正ステップと、
前記軟判定値補正ステップの実行により得られたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７１】
受信信号の復調結果として軟判定値を出力し、前記軟判定値に対して誤り訂正を実施する受信方法において、
前記受信信号から軟判定値と硬判定値とを出力する判定値出力ステップと、
前記受信信号に含まれる雑音電力を推定する雑音電力推定ステップと、
前記軟判定値を雑音電力推定値で除算することにより補正する軟判定値補正ステップと、
前記軟判定値補正ステップの実行により得られたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７２】
受信信号の復調結果として軟判定値を出力し、前記軟判定値に対して誤り訂正を実施する受信方法において、
前記受信信号のレベル調整を行うレベル調整ステップと、
前記レベル調整後の受信信号から軟判定値と硬判定値とを出力する判定値出力ステップと、
前記軟判定値をレベル調整量で除算することにより補正する軟判定値補正ステップと、
前記軟判定値補正ステップの実行により得られたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７３】
受信信号の復調結果として軟判定値を出力し、前記軟判定値に対して誤り訂正を実施する受信方法において、
前記受信信号のレベル調整を行うレベル調整ステップと、
前記レベル調整後の受信信号から軟判定値と硬判定値とを出力する判定値出力ステップと、
前記軟判定値をレベル調整量で除算することにより補正する軟判定値補正ステップと、
前記軟判定値補正ステップにより得られたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７４】
Ｐ系統の受信信号の復調結果として軟判定値を出力し、前記軟判定値に対して誤り訂正を実施する受信方法において、
前記Ｐ系統の受信信号から軟判定値と硬判定値とを出力する判定値出力ステップと、
前記判定値出力ステップの実行により出力されたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７５】
Ｐ系統の受信信号の復調結果として軟判定値を出力し、前記軟判定値に対して誤り訂正を実施する受信方法において、
前記Ｐ系統の受信信号から軟判定値と硬判定値とを出力する判定値出力ステップと、
前記判定値出力ステップの実行により出力されたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７６】
Ｐ系統の受信信号の復調結果として軟判定値を出力し、前記軟判定値に対して誤り訂正を実施する受信方法において、
前記Ｐ系統の受信信号に含まれる雑音電力を個別に推定する雑音電力推定ステップと、
前記Ｐ系統の受信信号、および前記Ｐ系統の雑音電力の推定値から、軟判定値と硬判定値とを出力する判定値出力ステップと、
前記判定値出力ステップの実行により出力されたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７７】
Ｐ系統の受信信号の復調結果として軟判定値を出力し、前記軟判定値に対して誤り訂正を実施する受信方法において、
前記Ｐ系統の受信信号に含まれる雑音電力を個別に推定する雑音電力推定ステップと、
前記Ｐ系統の受信信号、および前記Ｐ系統の雑音電力の推定値から、軟判定値と硬判定値とを出力する判定値出力ステップと、
前記判定値出力ステップの実行により出力されたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７８】
Ｐ系統の受信信号の復調結果として軟判定値を出力し、前記軟判定値に対して誤り訂正を実施する受信方法において、
前記Ｐ系統の受信信号のレベル調整を個別に行うレベル調整方法と、
前記Ｐ系統の受信信号、および前記Ｐ系統のレベル調整量から、軟判定値と硬判定値とを出力する判定値出力ステップと、
前記判定値出力ステップの実行により出力されたシンボル単位の軟判定値を硬判定値に変換する軟判定値／硬判定値変換ステップと、
前記変換後の硬判定値と、前記判定値出力ステップの実行により出力されたシンボル単位の硬判定値と、を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【請求項７９】
Ｐ系統の受信信号の復調結果として軟判定値を出力し、前記軟判定値に対して誤り訂正を実施する受信方法において、
前記Ｐ系統の受信信号のレベル調整を個別に行うレベル調整方法と、
前記Ｐ系統の受信信号、および前記Ｐ系統のレベル調整量から、軟判定値と硬判定値とを出力する判定値出力ステップと、
前記判定値出力ステップの実行により出力されたビット単位の軟判定値を硬判定値に変換する軟判定値／硬判定値変換ステップと、
前記判定値出力ステップの実行により出力されたシンボル単位の硬判定値をビット単位の硬判定値に変換するビット変換ステップと、
前記変換後の硬判定値同士を比較する比較ステップと、
前記比較結果が一致する場合に軟判定値を選択し、不一致の場合には硬判定値を選択し、選択後の判定値を軟判定値として出力する選択ステップと、
を含むことを特徴とする受信方法。
【発明の詳細な説明】
【０００１】
【発明の属する技術分野】
この発明は、自動車電話，携帯電話，コードレス電話等の無線通信分野に採用可能な無線通信用受信装置に関するものであり、詳細には、受信信号の判定結果である軟判定値と硬判定値とを合成することで、品質の高い通信を提供する無線通信用受信装置およびその受信方法に関するものである。
【０００２】
【従来の技術】
以下、従来の無線通信用受信装置について説明する。たとえば、携帯電話などの通信環境では、符号間干渉をともなう周波数選択性フェージングにより、受信信号がひずむことがある。このようなひずみに対しては、等化器により符号間干渉成分を利用して復調することが当業者において知られている。また、このような通信環境で復調された信号に対して誤り訂正を行う場合は、軟判定値を入力する軟判定復号の方が、硬判定値を入力する硬判定復号よりも品質の良い伝送が実現できる。
【０００３】
なお、上記硬判定値は、送信信号の判定結果であり、もう一方の軟判定値は、当該硬判定値に信頼度を加えたものである。具体的にいうと、たとえば、送信側から、“１”または“−１”の２値信号が送信された場合、硬判定値は、“１”または“−１”であり、軟判定値は“０.９”や“−０.４”などとなる。ただし、この例では、軟判定値の符号が硬判定値（＋の場合“１”、−の場合“−１”となる）を表すこととなり、軟判定値の絶対値をとったものが信頼度（絶対値が大きい方が信頼できる）を表す。
【０００４】
また、従来の無線通信用受信装置では、無線伝送路において符号間干渉が生じている場合、最尤系列推定により最適な硬判定値が得られることが当業者において知られている。
【０００５】
また、復調結果として、軟判定値を得る方法としては、下記特許文献１に記載の方法がある（以下、従来技術と呼ぶ）。たとえば、復調後に誤り訂正を行う場合は、従来技術により得られた軟判定値を入力とする軟判定復号の方が、最尤系列推定により得られる硬判定値を入力とする硬判定復号よりも品質の良い伝送が実現できる。
【０００６】
【特許文献１】
ＵＳ  ＰＡＴＥＮＴ  ５１１９４００
【０００７】
【発明が解決しようとする課題】
しかしながら、前述した文献に記載された従来の無線通信用受信装置において、復調後に誤り訂正がないような場合には、最尤系列推定により得られる硬判定値を利用する硬判定復号の方が、従来技術により得られる軟判定値を利用する軟判定復号よりも、品質の良い伝送を実現できる。特に、携帯電話などのように高度な通信を行う場合、通信条件によって誤り訂正の符号化レートを可変とするシステムもあり、条件によっては誤り訂正の符号化率がほぼ１になる。また、同じ通信データに対して、符号化率を不均一にして伝送するシステムもあり、この場合、常にデータ内に誤り訂正の行われない部分が存在するように設計されていることもある。このように、従来の無線通信用受信装置では、上記のような多様なシステムを用いた場合に、常に、最良なデータの伝送品質が得られているとはいえない、という問題があった。
【０００８】
本発明は、上記に鑑みてなされたものであって、たとえば、誤り訂正の符号化率が１に近い場合、または、誤り訂正が施されていないデータが存在する場合においても、常に最良なデータの伝送品質を提供可能な無線通信用受信装置、およびその受信方法を提供することを目的としている。
【０００９】
【課題を解決するための手段】
本発明にかかる無線通信用受信装置にあっては、受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備え、前記軟判定手段は、前記受信信号から軟判定値と硬判定値とを出力する等化手段と、前記軟判定値と前記硬判定値とを所定の方法で合成し、合成後の判定値を軟判定値として出力する判定値合成手段と、を備えることを特徴とする。
【００１０】
この発明によれば、硬判定に適した復調方式によって得られた硬判定値と、軟判定に適した復調方式によって得られた軟判定値と、を適宜選択できるため、誤り訂正の符号化率が１に近い場合、もしくは、誤り訂正が施されていないデータがある場合においても、常に最良の伝送品質を提供できる。
【００１１】
つぎの発明にかかる無線通信用受信装置にあっては、さらに、前記受信信号に含まれる雑音電力を推定する雑音電力推定手段と、前記合成後の軟判定値を雑音電力推定値にしたがって補正する軟判定値補正手段と、を備えることを特徴とする。
【００１２】
この発明によれば、雑音電力推定手段を備えているため、たとえば、受信信号に含まれる雑音の電力が変動する場合においても、その雑音電力の変動を補正できる。
【００１３】
つぎの発明にかかる無線通信用受信装置にあっては、受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備え、前記軟判定手段は、前記受信信号のレベル調整を行うレベル調整手段と、前記レベル調整後の受信信号から軟判定値と硬判定値とを出力する等化手段と、前記軟判定値と前記硬判定値とを所定の方法で合成し、合成後の判定値を軟判定値として出力する判定値合成手段と、前記合成後の軟判定値をレベル調整量にしたがって補正する軟判定値補正手段と、を備えることを特徴とする。
【００１４】
この発明によれば、レベル調整手段を備えているため、受信信号においてレベル変動が生じる場合に、受信信号の入力レベルを適切なレベルに調整することができ、その調整により軟判定値のずれを補正することができる。
【００１５】
つぎの発明にかかる無線通信用受信装置にあっては、受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備え、前記軟判定手段は、前記受信信号から軟判定値と硬判定値とを出力する等化手段と、前記受信信号に含まれる雑音電力を推定する雑音電力推定手段と、前記軟判定値を雑音電力推定値にしたがって補正する軟判定値補正手段と、前記補正後の軟判定値と前記硬判定値とを所定の方法で合成し、合成後の判定値を軟判定値として出力する判定値合成手段と、を備えることを特徴とする。
【００１６】
この発明によれば、雑音電力推定手段を備えているため、たとえば、受信信号に含まれる雑音の電力が変動する場合においても、その雑音電力の変動を補正できる。
【００１７】
つぎの発明にかかる無線通信用受信装置にあっては、受信波をベースバンドのアナログ信号に変換するアナログ処理手段と、前記アナログ信号をディジタルの受信信号に変換するＡ／Ｄ変換手段と、前記受信信号の復調結果として軟判定値を出力する軟判定手段と、前記軟判定値に対して誤り訂正を実施する誤り訂正手段と、を備え、前記軟判定手段は、前記受信信号のレベル調整を行うレベル調整手段と、前記レベル調整後の受信信号から軟判定値と硬判定値とを出力する等化手段と、前記軟判定値をレベル調整量にしたがって補正する軟判定値補正手段と、前記補正後の軟判定値と前記硬判定値とを所定の方法で合成し、合成後の判定値を軟判定値として出力する判定値合成手段と、を備えることを特徴とする。
【００１８】
この発明によれば、レベル調整手段を備えているため、受信信号においてレベル変動が生じる場合に、受信信号の入力レベルを適切なレベルに調整することができ、その調整により軟判定値のずれを補正することができる。
【００１９】
つぎの発明にかかる無線通信用受信装置にあっては、さらに、前記Ａ／Ｄ変換手段が出力する受信信号に基づいて伝送路特性を推定する第１の伝送路特性推定手段と、前記伝送路特性推定値に基づいて、前記受信信号に対して時間反転を行うか、または行わないかを制御する時間反転制御手段と、前記時間反転制御手段の制御に従って前記受信信号に対する処理を行い、前記軟判定手段に対してその処理結果を出力する受信信号反転／非反転手段と、前記時間反転制御手段の制御に従って、前記軟判定手段出力の軟判定値を時間反転前の順に戻す軟判定値反転／非反転手段と、を備え、前記軟判定手段は、前記受信信号反転／非反転手段出力の信号に対して軟判定処理を行い、前記誤り訂正手段は、前記軟判定値反転／非反転手段出力の信号に対して誤り訂正を実施することを特徴とする。
【００２０】
この発明によれば、電力が高くかつ遅延時間の大きい遅延波が存在するような場合であっても、受信信号を時間反転することにより、遅延時間を小さくした状態で軟判定処理を行うことができる。
【００２１】
つぎの発明にかかる無線通信用受信装置にあっては、前記軟判定手段として、伝送路特性の逐次更新を行わない第１の軟判定手段と伝送路特性の逐次更新を行う第２の軟判定手段とを備え、さらに、前記Ａ／Ｄ変換手段が出力する受信信号に基づいて伝送路特性を推定する第１の伝送路特性推定手段と、前記伝送路特性推定値に基づいて、前記第１の軟判定手段と前記第２の軟判定手段から、使用する軟判定手段を選択する軟判定選択手段と、を備えることを特徴とする。
【００２２】
この発明によれば、伝送路の状態に応じて適切な等化方式を選択できるため、通信品質をさらに向上させることができる。また、伝送路特性の逐次更新を行わない代わりにステート数を大きくした等化器と、伝送路特性の逐次更新を行う代わりにステート数を小さくした等化器を組み合わせることにより、処理量の増加を抑えつつ、通信品質の改善を図ることができる。
【００２３】
つぎの発明にかかる無線通信用受信装置にあっては、前記軟判定手段として、伝送路特性の逐次更新を行わない第１の軟判定手段と伝送路特性の逐次更新を行う第２の軟判定手段とを備え、さらに、前記Ａ／Ｄ変換手段が出力する受信信号に基づいて伝送路特性を推定する第１の伝送路特性推定手段と、前記伝送路特性推定値に基づいて、前記第１の軟判定手段と前記第２の軟判定手段から、使用する軟判定手段を選択する軟判定選択手段と、前記伝送路特性推定値に基づいて、前記受信信号に対して時間反転を行うか、または行わないかを制御する時間反転制御手段と、前記時間反転制御手段の制御に従って前記受信信号に対する処理を行い、前記選択された軟判定手段に対してその処理結果を出力する受信信号反転／非反転手段と、前記時間反転制御手段の制御に従って、前記選択された軟判定手段出力の軟判定値を時間反転前の順に戻す軟判定値反転／非反転手段と、を備え、前記選択された軟判定手段は、前記受信信号反転／非反転手段出力の信号に対して軟判定処理を行い、前記誤り訂正手段は、前記軟判定値反転／非反転手段出力の信号に対して誤り訂正を実施することを特徴とする。
【００２４】
この発明によれば、電力が高くかつ遅延時間の大きい遅延波が存在するような場合であっても、受信信号を時間反転することにより、遅延時間を小さくした状態で軟判定処理を行うことができる。また、伝送路の状態に応じて適切な等化方式を選択できるため、通信品質をさらに向上させることができる。また、伝送路特性の逐次更新を行わない代わりにステート数を大きくした等化器と、伝送路特性の逐次更新を行う代わりにステート数を小さくした等化器を組み合わせることにより、処理量の増加を抑えつつ、通信品質の改善を図ることができる。
【００２５】
つぎの発明にかかる無線通信用受信装置において、前記判定値合成手段は、前記等化手段から受け取ったシンボル単位の軟判定値を硬判定値に変換する軟判定値／硬判定値変換手段と、前記変換後の硬判定値と、前記等化手段から受け取ったシンボル単位の硬判定値と、を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００２６】
この発明によれば、シンボル単位に軟判定値と硬判定値とを比較する構成とした場合、硬判定値と、軟判定値からもとめた硬判定値と、が完全に一致することとなるため、誤り訂正が施されていないデータに対して、硬判定復号を実施した場合と同じ特性を得ることができる。
【００２７】
つぎの発明にかかる無線通信用受信装置において、前記判定値合成手段は、前記等化手段から受け取ったビット単位の軟判定値を硬判定値に変換する軟判定値／硬判定値変換手段と、前記等化手段の出力するシンボル単位の硬判定値をビット単位の硬判定値に変換するビット変換手段と、前記変換後の硬判定値同士を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００２８】
この発明によれば、判定値合成手段が、ビット単位に軟判定値と硬判定値のいずれか一方を選択するため、シンボルもしくはブロック単位に選択する場合と比較してより精度の高い推定を実施できる。
【００２９】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記枝単位のパスメトリックから軟判定値を生成する軟判定値生成手段と、を備えることを特徴とする。
【００３０】
この発明によれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。
【００３１】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記生き残りパスメトリックから軟判定値を生成する軟判定値生成手段と、を備えることを特徴とする。
【００３２】
この発明によれば、パスメトリック数の１／Ｑの生き残りパスメトリックをもとに軟判定値を計算するため、ビタビアルゴリズムにより逐一計算されるパスメトリックに基づいて軟判定値を計算する構成よりも、大幅に処理数を削減できる。
【００３３】
つぎの発明にかかる無線通信用受信装置において、前記レプリカ生成手段は、前記伝送路特性の推定値に加えて、さらに、前記パス選択情報を用いて、受信信号のレプリカを生成することを特徴とする。
【００３４】
この発明によれば、レプリカ生成手段がパス選択情報（判定値）を利用することで、レプリカの生成にかかる処理量を大幅に削減することができる。また、パス選択情報を利用する場合は、軟判定値の精度が劣化してしまうが、判定値合成手段を用いて硬判定値と合成することにより軟判定値の劣化を改善することができるため、比較的小規模な処理量で優れた伝送品質を確保できる。
【００３５】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００３６】
この発明によれば、生き残りパス選択情報から得られる伝送路特性の推定値を、既知の適応アルゴリズムを用いて逐次更新することとしたため、通信条件が高速に変動するような場合においても、品質の良い通信を実現できる。
【００３７】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００３８】
この発明によれば、更新された伝送路特性の推定値を、逐一レプリカに反映させるのではなく間欠的に反映させることとしたため、レプリカ計算に必要な演算量を大幅に削減できる。
【００３９】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００４０】
この発明によれば、硬判定値から得られる伝送路特性の推定値を、既知の適応アルゴリズムを用いて逐次更新することとしたため、通信条件が高速に変動するような場合においても、品質の良い通信を実現できる。
【００４１】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００４２】
この発明によれば、更新された伝送路特性の推定値を、逐一レプリカに反映させるのではなく間欠的に反映させることとしたため、レプリカ計算に必要な演算量を大幅に削減することができる。
【００４３】
つぎの発明にかかる無線通信用受信装置において、前記第２の伝送路特性推定手段は、さらに、前記パス選択情報に基づいてステート単位に受信信号の伝送路特性を逐一更新し、前記レプリカ生成手段は、前記ステート単位の伝送路特性が更新される度に、前記パス選択情報を用いて、各枝に対応する受信信号のレプリカを更新することを特徴とする。
【００４４】
この発明によれば、生き残りパス単位に伝送路特性の推定値を更新するため、通信条件が非常に高速に変動する場合においても、精度の高い通信を実現できる。
【００４５】
つぎの発明にかかる無線通信用受信装置において、前記軟判定値生成手段は、前記枝単位のパスメトリックもしくは生き残りパスメトリックに基づいて、シンボル単位に最尤メトリックを選択するシンボル単位最尤メトリック選択手段と、前記シンボル単位の最尤メトリックに基づいて、ビット単位に最尤メトリックを選択するビット単位最尤メトリック選択手段と、ビット単位の最尤メトリックの差を計算するメトリック差計算手段と、を備えることを特徴とする。
【００４６】
この発明によれば、ビット単位に計算した軟判定値を用いて軟判定復号が行えるため、シンボル単位もしくブロック単位に信頼度を計算する場合と比較して、大幅に通信品質を改善することができる。
【００４７】
つぎの発明にかかる無線通信用受信装置において、前記判定値合成手段は、前記等化手段から受け取ったシンボル単位の軟判定値を硬判定値に変換する軟判定値／硬判定値変換手段と、前記変換後の硬判定値と、前記等化手段から受け取ったシンボル単位の硬判定値と、を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００４８】
この発明によれば、シンボル単位に軟判定値と硬判定値とを比較する構成とした場合、硬判定値と、軟判定値からもとめた硬判定値と、が完全に一致することとなるため、誤り訂正が施されていないデータに対して、硬判定復号を実施した場合と同じ特性を得ることができる。
【００４９】
つぎの発明にかかる無線通信用受信装置において、前記判定値合成手段は、前記等化手段から受け取ったビット単位の軟判定値を硬判定値に変換する軟判定値／硬判定値変換手段と、前記等化手段の出力するシンボル単位の硬判定値をビット単位の硬判定値に変換するビット変換手段と、前記変換後の硬判定値同士を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００５０】
この発明によれば、判定値合成手段が、ビット単位に軟判定値と硬判定値のいずれか一方を選択するため、シンボルもしくはブロック単位に選択する場合と比較してより精度の高い推定を実施できる。
【００５１】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記枝単位のパスメトリックから軟判定値を生成する軟判定値生成手段と、を備えることを特徴とする。
【００５２】
この発明によれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。
【００５３】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記生き残りパスメトリックから軟判定値を生成する軟判定値生成手段と、を備えることを特徴とする。
【００５４】
この発明によれば、パスメトリック数の１／Ｑの生き残りパスメトリックをもとに軟判定値を計算するため、ビタビアルゴリズムにより逐一計算されるパスメトリックに基づいて軟判定値を計算する構成よりも、大幅に処理数を削減できる。
【００５５】
つぎの発明にかかる無線通信用受信装置において、前記レプリカ生成手段は、前記伝送路特性の推定値に加えて、さらに、前記パス選択情報を用いて、受信信号のレプリカを生成することを特徴とする。
【００５６】
この発明によれば、レプリカ生成手段がパス選択情報（判定値）を利用することで、レプリカの生成にかかる処理量を大幅に削減することができる。また、パス選択情報を利用する場合は、軟判定値の精度が劣化してしまうが、判定値合成手段を用いて硬判定値と合成することにより軟判定値の劣化を改善することができるため、比較的小規模な処理量で優れた伝送品質を確保できる。
【００５７】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００５８】
この発明によれば、生き残りパス選択情報から得られる伝送路特性の推定値を、既知の適応アルゴリズムを用いて逐次更新することとしたため、通信条件が高速に変動するような場合においても、品質の良い通信を実現できる。
【００５９】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００６０】
この発明によれば、更新された伝送路特性の推定値を、逐一レプリカに反映させるのではなく間欠的に反映させることとしたため、レプリカ計算に必要な演算量を大幅に削減できる。
【００６１】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００６２】
この発明によれば、硬判定値から得られる伝送路特性の推定値を、既知の適応アルゴリズムを用いて逐次更新することとしたため、通信条件が高速に変動するような場合においても、品質の良い通信を実現できる。
【００６３】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００６４】
この発明によれば、更新された伝送路特性の推定値を、逐一レプリカに反映させるのではなく間欠的に反映させることとしたため、レプリカ計算に必要な演算量を大幅に削減することができる。
【００６５】
つぎの発明にかかる無線通信用受信装置において、前記第２の伝送路特性推定手段は、さらに、前記パス選択情報に基づいてステート単位に受信信号の伝送路特性を逐一更新し、前記レプリカ生成手段は、前記ステート単位の伝送路特性が更新される度に、前記パス選択情報を用いて、各枝に対応する受信信号のレプリカを更新することを特徴とする。
【００６６】
この発明によれば、生き残りパス単位に伝送路特性の推定値を更新するため、通信条件が非常に高速に変動する場合においても、精度の高い通信を実現できる。
【００６７】
つぎの発明にかかる無線通信用受信装置において、前記軟判定値生成手段は、前記枝単位のパスメトリックもしくは生き残りパスメトリックに基づいて、シンボル単位に最尤メトリックを選択するシンボル単位最尤メトリック選択手段と、前記シンボル単位の最尤メトリックに基づいて、ビット単位に最尤メトリックを選択するビット単位最尤メトリック選択手段と、ビット単位の最尤メトリックの差を計算するメトリック差計算手段と、を備えることを特徴とする。
【００６８】
この発明によれば、ビット単位に計算した軟判定値を用いて軟判定復号が行えるため、シンボル単位もしくブロック単位に信頼度を計算する場合と比較して、大幅に通信品質を改善することができる。
【００６９】
つぎの発明にかかる無線通信用受信装置において、前記判定値合成手段は、前記等化手段から受け取ったシンボル単位の軟判定値を硬判定値に変換する軟判定値／硬判定値変換手段と、前記変換後の硬判定値と、前記等化手段から受け取ったシンボル単位の硬判定値と、を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００７０】
この発明によれば、シンボル単位に軟判定値と硬判定値とを比較する構成とした場合、硬判定値と、軟判定値からもとめた硬判定値と、が完全に一致することとなるため、誤り訂正が施されていないデータに対して、硬判定復号を実施した場合と同じ特性を得ることができる。
【００７１】
つぎの発明にかかる無線通信用受信装置において、前記判定値合成手段は、前記等化手段から受け取ったビット単位の軟判定値を硬判定値に変換する軟判定値／硬判定値変換手段と、前記等化手段の出力するシンボル単位の硬判定値をビット単位の硬判定値に変換するビット変換手段と、前記変換後の硬判定値同士を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００７２】
この発明によれば、判定値合成手段が、ビット単位に軟判定値と硬判定値のいずれか一方を選択するため、シンボルもしくはブロック単位に選択する場合と比較してより精度の高い推定を実施できる。
【００７３】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記枝単位のパスメトリックから軟判定値を生成する軟判定値生成手段と、を備えることを特徴とする。
【００７４】
この発明によれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。
【００７５】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記生き残りパスメトリックから軟判定値を生成する軟判定値生成手段と、を備えることを特徴とする。
【００７６】
この発明によれば、パスメトリック数の１／Ｑの生き残りパスメトリックをもとに軟判定値を計算するため、ビタビアルゴリズムにより逐一計算されるパスメトリックに基づいて軟判定値を計算する構成よりも、大幅に処理数を削減できる。
【００７７】
つぎの発明にかかる無線通信用受信装置において、前記レプリカ生成手段は、前記伝送路特性の推定値に加えて、さらに、前記パス選択情報を用いて、受信信号のレプリカを生成することを特徴とする。
【００７８】
この発明によれば、レプリカ生成手段がパス選択情報（判定値）を利用することで、レプリカの生成にかかる処理量を大幅に削減することができる。また、パス選択情報を利用する場合は、軟判定値の精度が劣化してしまうが、判定値合成手段を用いて硬判定値と合成することにより軟判定値の劣化を改善することができるため、比較的小規模な処理量で優れた伝送品質を確保できる。
【００７９】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００８０】
この発明によれば、生き残りパス選択情報から得られる伝送路特性の推定値を、既知の適応アルゴリズムを用いて逐次更新することとしたため、通信条件が高速に変動するような場合においても、品質の良い通信を実現できる。
【００８１】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００８２】
この発明によれば、更新された伝送路特性の推定値を、逐一レプリカに反映させるのではなく間欠的に反映させることとしたため、レプリカ計算に必要な演算量を大幅に削減できる。
【００８３】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【００８４】
この発明によれば、硬判定値から得られる伝送路特性の推定値を、既知の適応アルゴリズムを用いて逐次更新することとしたため、通信条件が高速に変動するような場合においても、品質の良い通信を実現できる。
【００８５】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【００８６】
この発明によれば、更新された伝送路特性の推定値を、逐一レプリカに反映させるのではなく間欠的に反映させることとしたため、レプリカ計算に必要な演算量を大幅に削減することができる。
【００８７】
つぎの発明にかかる無線通信用受信装置において、前記第２の伝送路特性推定手段は、さらに、前記パス選択情報に基づいてステート単位に受信信号の伝送路特性を逐一更新し、前記レプリカ生成手段は、前記ステート単位の伝送路特性が更新される度に、前記パス選択情報を用いて、各枝に対応する受信信号のレプリカを更新することを特徴とする。
【００８８】
この発明によれば、生き残りパス単位に伝送路特性の推定値を更新するため、通信条件が非常に高速に変動する場合においても、精度の高い通信を実現できる。
【００８９】
つぎの発明にかかる無線通信用受信装置において、前記軟判定値生成手段は、前記枝単位のパスメトリックもしくは生き残りパスメトリックに基づいて、シンボル単位に最尤メトリックを選択するシンボル単位最尤メトリック選択手段と、前記シンボル単位の最尤メトリックに基づいて、ビット単位に最尤メトリックを選択するビット単位最尤メトリック選択手段と、ビット単位の最尤メトリックの差を計算するメトリック差計算手段と、を備えることを特徴とする。
【００９０】
この発明によれば、ビット単位に計算した軟判定値を用いて軟判定復号が行えるため、シンボル単位もしくブロック単位に信頼度を計算する場合と比較して、大幅に通信品質を改善することができる。
【００９１】
つぎの発明にかかる無線通信用受信装置において、前記判定値合成手段は、前記等化手段から受け取ったシンボル単位の軟判定値を硬判定値に変換する軟判定値／硬判定値変換手段と、前記変換後の硬判定値と、前記等化手段から受け取ったシンボル単位の硬判定値と、を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００９２】
この発明によれば、シンボル単位に軟判定値と硬判定値とを比較する構成とした場合、硬判定値と、軟判定値からもとめた硬判定値と、が完全に一致することとなるため、誤り訂正が施されていないデータに対して、硬判定復号を実施した場合と同じ特性を得ることができる。
【００９３】
つぎの発明にかかる無線通信用受信装置において、前記判定値合成手段は、前記等化手段から受け取ったビット単位の軟判定値を硬判定値に変換する軟判定値／硬判定値変換手段と、前記等化手段の出力するシンボル単位の硬判定値をビット単位の硬判定値に変換するビット変換手段と、前記変換後の硬判定値同士を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【００９４】
この発明によれば、判定値合成手段が、ビット単位に軟判定値と硬判定値のいずれか一方を選択するため、シンボルもしくはブロック単位に選択する場合と比較してより精度の高い推定を実施できる。
【００９５】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記枝単位のパスメトリックから軟判定値を生成する軟判定値生成手段と、を備えることを特徴とする。
【００９６】
この発明によれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。
【００９７】
つぎの発明にかかる無線通信用受信装置において、前記等化手段は、前記受信信号の伝送路特性を推定する第２の伝送路特性推定手段と、前記伝送路特性の推定値に基づいて受信信号のレプリカを生成するレプリカ生成手段と、前記レプリカと前記受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記生き残りパスメトリックから軟判定値を生成する軟判定値生成手段と、を備えることを特徴とする。
【００９８】
この発明によれば、パスメトリック数の１／Ｑの生き残りパスメトリックをもとに軟判定値を計算するため、ビタビアルゴリズムにより逐一計算されるパスメトリックに基づいて軟判定値を計算する構成よりも、大幅に処理数を削減できる。
【００９９】
つぎの発明にかかる無線通信用受信装置において、前記レプリカ生成手段は、前記伝送路特性の推定値に加えて、さらに、前記パス選択情報を用いて、受信信号のレプリカを生成することを特徴とする。
【０１００】
この発明によれば、レプリカ生成手段がパス選択情報（判定値）を利用することで、レプリカの生成にかかる処理量を大幅に削減することができる。また、パス選択情報を利用する場合は、軟判定値の精度が劣化してしまうが、判定値合成手段を用いて硬判定値と合成することにより軟判定値の劣化を改善することができるため、比較的小規模な処理量で優れた伝送品質を確保できる。
【０１０１】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【０１０２】
この発明によれば、生き残りパス選択情報から得られる伝送路特性の推定値を、既知の適応アルゴリズムを用いて逐次更新することとしたため、通信条件が高速に変動するような場合においても、品質の良い通信を実現できる。
【０１０３】
つぎの発明にかかる無線通信用受信装置において、前記第２の伝送路特性推定手段は、さらに、前記パス選択情報を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【０１０４】
この発明によれば、更新された伝送路特性の推定値を、逐一レプリカに反映させるのではなく間欠的に反映させることとしたため、レプリカ計算に必要な演算量を大幅に削減できる。
【０１０５】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、前記伝送路特性の推定値が更新される度に、各枝に対応する受信信号のレプリカを更新することを特徴とする。
【０１０６】
この発明によれば、硬判定値から得られる伝送路特性の推定値を、既知の適応アルゴリズムを用いて逐次更新することとしたため、通信条件が高速に変動するような場合においても、品質の良い通信を実現できる。
【０１０７】
つぎの発明にかかる無線通信用受信装置において、前記第２の伝送路特性推定手段は、さらに、前記硬判定系列推定手段が出力する硬判定値を受け取り、適応アルゴリズムを用いて受信信号の伝送路特性を逐一更新し、前記レプリカ生成手段は、予め規定された特定周期で、各枝に対応する受信信号のレプリカを更新することを特徴とする。
【０１０８】
この発明によれば、更新された伝送路特性の推定値を、逐一レプリカに反映させるのではなく間欠的に反映させることとしたため、レプリカ計算に必要な演算量を大幅に削減することができる。
【０１０９】
つぎの発明にかかる無線通信用受信装置において、前記第２の伝送路特性推定手段は、さらに、前記パス選択情報に基づいてステート単位に受信信号の伝送路特性を逐一更新し、前記レプリカ生成手段は、前記ステート単位の伝送路特性が更新される度に、前記パス選択情報を用いて、各枝に対応する受信信号のレプリカを更新することを特徴とする。
【０１１０】
この発明によれば、生き残りパス単位に伝送路特性の推定値を更新するため、通信条件が非常に高速に変動する場合においても、精度の高い通信を実現できる。
【０１１１】
つぎの発明にかかる無線通信用受信装置において、前記軟判定値生成手段は、前記枝単位のパスメトリックもしくは生き残りパスメトリックに基づいて、シンボル単位に最尤メトリックを選択するシンボル単位最尤メトリック選択手段と、前記シンボル単位の最尤メトリックに基づいて、ビット単位に最尤メトリックを選択するビット単位最尤メトリック選択手段と、ビット単位の最尤メトリックの差を計算するメトリック差計算手段と、を備えることを特徴とする。
【０１１２】
この発明によれば、ビット単位に計算した軟判定値を用いて軟判定復号が行えるため、シンボル単位もしくブロック単位に信頼度を計算する場合と比較して、大幅に通信品質を改善することができる。
【０１１３】
つぎの発明にかかる無線通信用受信装置にあっては、受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備え、前記軟判定手段は、前記Ｐ系統の受信信号から軟判定値と硬判定値とを出力する等化手段と、前記軟判定値と前記硬判定値とを所定の方法で合成し、合成後の判定値を軟判定値として出力する判定値合成手段と、を備えることを特徴とする。
【０１１４】
この発明によれば、硬判定に適した復調方式によって得られた硬判定値と、硬判定に適した復調方式によって得られた軟判定値と、を適宜選択できる構成に加えて、ダイバーシチ受信を採用したため、さらに伝送品質を向上させることができる。
【０１１５】
つぎの発明にかかる無線通信用受信装置にあっては、受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備え、前記軟判定手段は、前記Ｐ系統の受信信号に含まれる雑音電力を個別に推定する雑音電力推定手段と、前記Ｐ系統の受信信号、および前記Ｐ系統の雑音電力の推定値から、軟判定値と硬判定値とを出力する等化手段と、前記軟判定値と前記硬判定値とを所定の方法で合成し、合成後の判定値を軟判定値として出力する判定値合成手段と、を備えることを特徴とする。
【０１１６】
この発明によれば、さらに、雑音電力推定手段を備えているため、たとえば、受信信号に含まれる雑音の電力が変動する場合においても、その雑音電力の変動を補正できる。
【０１１７】
つぎの発明にかかる無線通信用受信装置にあっては、受信波をベースバンドのアナログ信号に変換するＰ（Ｐ≧１）系統のアナログ処理手段と、前記各アナログ信号をディジタルの受信信号に変換するＰ系統のＡ／Ｄ変換手段と、前記各受信信号の復調結果として軟判定値を出力する軟判定手段と、前記軟判定値に対して誤り訂正を実施する誤り訂正手段と、を備え、前記軟判定手段は、前記Ｐ系統の受信信号のレベル調整を個別に行うレベル調整手段と、前記Ｐ系統の受信信号、および前記Ｐ系統のレベル調整量から、軟判定値と硬判定値とを出力する等化手段と、前記軟判定値と前記硬判定値とを所定の方法で合成し、合成後の判定値を軟判定値として出力する判定値合成手段と、を備えることを特徴とする。
【０１１８】
この発明によれば、さらに、レベル調整手段を備えているため、受信信号においてレベル変動が生じる場合に、受信信号の入力レベルを適切なレベルに調整することができ、その調整により軟判定値のずれを補正することができる。
【０１１９】
つぎの発明にかかる無線通信用受信装置において、前記判定値合成手段は、前記等化手段から受け取ったシンボル単位の軟判定値を硬判定値に変換する軟判定値／硬判定値変換手段と、前記変換後の硬判定値と、前記等化手段から受け取ったシンボル単位の硬判定値と、を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【０１２０】
この発明によれば、シンボル単位に軟判定値と硬判定値とを比較する構成とした場合、硬判定値と、軟判定値からもとめた硬判定値と、が完全に一致することとなるため、誤り訂正が施されていないデータに対して、硬判定復号を実施した場合と同じ特性を得ることができる。
【０１２１】
つぎの発明にかかる無線通信用受信装置において、前記判定値合成手段は、前記等化手段から受け取ったビット単位の軟判定値を硬判定値に変換する軟判定値／硬判定値変換手段と、前記等化手段の出力するシンボル単位の硬判定値をビット単位の硬判定値に変換するビット変換手段と、前記変換後の硬判定値同士を比較する比較手段と、前記比較結果に基づいて、前記等化手段の出力する軟判定値と硬判定値のいずれか一方を選択し、選択後の判定値を軟判定値として出力する選択手段と、を備えることを特徴とする。
【０１２２】
この発明によれば、判定値合成手段が、ビット単位に軟判定値と硬判定値のいずれか一方を選択するため、シンボルもしくはブロック単位に選択する場合と比較してより精度の高い推定を実施できる。
【０１２３】
つぎの発明にかかる無線通信用受信装置において、前記等化手段は、前記Ｐ系統の受信信号の伝送路特性を個別に推定する伝送路特性推定手段と、前記Ｐ系統の伝送路特性の推定値に基づいて、Ｐ系統の受信信号のレプリカを生成するレプリカ生成手段と、前記Ｐ系統のレプリカと前記Ｐ系統の受信信号に基づいて枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記枝単位のパスメトリックから軟判定値を生成する軟判定値生成手段と、を備えることを特徴とする。
【０１２４】
この発明によれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。
【０１２５】
つぎの発明にかかる無線通信用受信装置において、前記等化手段は、前記Ｐ系統の受信信号の伝送路特性を個別に推定する伝送路特性推定手段と、前記Ｐ系統の伝送路特性の推定値に基づいて、Ｐ系統の受信信号のレプリカを生成するレプリカ生成手段と、前記Ｐ系統のレプリカと前記Ｐ系統の受信信号に基づいて、枝メトリックを計算する枝メトリック生成手段と、前記枝メトリックと生き残りパスメトリックとを加算し、その結果をパスメトリックとして出力する加算手段と、前記枝単位のパスメトリックに基づいて生き残りパスメトリックを選択し、さらに、どのパスを選択したかを示すパス選択情報を生成する生き残りパス選択手段と、前記パス選択情報に基づいて硬判定値を推定する硬判定系列推定手段と、前記生き残りパスメトリックから軟判定値を生成する軟判定値生成手段と、を備えることを特徴とする。
【０１２６】
この発明によれば、パスメトリック数の１／Ｑの生き残りパスメトリックをもとに軟判定値を計算するため、ビタビアルゴリズムにより逐一計算されるパスメトリックに基づいて軟判定値を計算する構成よりも、大幅に処理数を削減できる。
【０１２７】
つぎの発明にかかる無線通信用受信装置において、前記レプリカ生成手段は、前記伝送路特性の推定値に加えて、さらに、前記パス選択情報を用いて、受信信号のレプリカを生成することを特徴とする。
【０１２８】
この発明によれば、レプリカ生成手段がパス選択情報（判定値）を利用することで、レプリカの生成にかかる処理量を大幅に削減することができる。また、パス選択情報を利用する場合は、軟判定値の精度が劣化してしまうが、判定値合成手段を用いて硬判定値と合成することにより軟判定値の劣化を改善することができるため、比較的小規模な処理量で優れた伝送品質を確保できる。
【０１２９】
つぎの発明にかかる無線通信用受信装置において、前記伝送路特性推定手段は、さらに、前記パス選択情報を受け取り、適応アルゴリズムを用いて、Ｐ系統の受信信号の伝送路特性を逐一更新し、前記レプリカ生成手段は、前記伝送路特性の推定値が更新される度に、各枝に対応するＰ系統の受信信号のレプリカを更新することを特徴とする。
【０１３０】
この発明によれば、生き残りパス選択情報から得られる伝送路特性の推定値を、既知の適応アルゴリズムを用いて逐次更新することとしたため、通信条件が高速に変動するような場合においても、品質の良い通信を実現できる。
【０１３１】
つぎの発明にかかる無線通信用受信装置において、前記伝送路特性推定手段は、さらに、前記パス選択情報を受け取り、適応アルゴリズムを用いて、Ｐ系統の受信信号の伝送路特性を逐一更新し、前記レプリカ生成手段は、予め規定された特定周期で、各枝に対応するＰ系統の受信信号のレプリカを更新することを特徴とする。
【０１３２】
この発明によれば、更新された伝送路特性の推定値を、逐一レプリカに反映させるのではなく間欠的に反映させることとしたため、レプリカ計算に必要な演算量を大幅に削減できる。
【０１３３】
つぎの発明にかかる無線通信用受信装置において、前記伝送路特性推定手段は、さらに、前記硬判定系列推定手段が出力する硬判定値を受け取り、適応アルゴリズムを用いて、Ｐ系統の受信信号の伝送路特性を逐一更新し、前記レプリカ生成手段は、前記伝送路特性の推定値が更新される度に、各枝に対応するＰ系統の受信信号のレプリカを更新することを特徴とする。
【０１３４】
この発明によれば、硬判定値から得られる伝送路特性の推定値を、既知の適応アルゴリズムを用いて逐次更新することとしたため、通信条件が高速に変動するような場合においても、品質の良い通信を実現できる。
【０１３５】
つぎの発明にかかる無線通信用受信装置において、前記伝送路特性推定手段は、さらに、前記硬判定系列推定手段が出力する硬判定値を受け取り、適応アルゴリズムを用いて、Ｐ系統の受信信号の伝送路特性を逐一更新し、前記レプリカ生成手段は、予め規定された特定周期で、各枝に対応するＰ系統の受信信号のレプリカを更新することを特徴とする。
【０１３６】
この発明によれば、更新された伝送路特性の推定値を、逐一レプリカに反映させるのではなく間欠的に反映させることとしたため、レプリカ計算に必要な演算量を大幅に削減することができる。
【０１３７】
つぎの発明にかかる無線通信用受信装置において、前記伝送路特性推定手段は、さらに、前記パス選択情報に基づいて、ステート単位にＰ系統の受信信号の伝送路特性を逐一更新し、前記レプリカ生成手段は、前記ステート単位の伝送路特性が更新される度に、前記パス選択情報を用いて、各枝に対応するＰ系統の受信信号のレプリカを更新することを特徴とする。
【０１３８】
この発明によれば、生き残りパス単位に伝送路特性の推定値を更新するため、通信条件が非常に高速に変動する場合においても、精度の高い通信を実現できる。
【０１３９】
つぎの発明にかかる無線通信用受信装置において、前記枝メトリック生成手段は、前記Ｐ系統のレプリカ、前記Ｐ系統の受信信号、およびＰ系統の受信信号の雑音電力推定値、に基づいて枝メトリックを計算することを特徴とする。
【０１４０】
この発明によれば、たとえば、受信信号に含まれる雑音の電力が変動する場合においても、その雑音電力の変動を補正できる。
【０１４１】
つぎの発明にかかる無線通信用受信装置において、前記枝メトリック生成手段は、前記Ｐ系統のレプリカ、前記Ｐ系統の受信信号、およびＰ系統の受信信号のレベル調整量、に基づいて枝メトリックを計算することを特徴とする。
【０１４２】
この発明によれば、受信信号においてレベル変動が生じる場合に、受信信号の入力レベルを適切なレベルに調整することができ、その調整により軟判定値のずれを補正することができる。
【０１４３】
つぎの発明にかかる無線通信用受信装置において、前記軟判定値生成手段は、前記枝単位のパスメトリックもしくは生き残りパスメトリックに基づいて、シンボル単位に最尤メトリックを選択するシンボル単位最尤メトリック選択手段と、前記シンボル単位の最尤メトリックに基づいて、ビット単位に最尤メトリックを選択するビット単位最尤メトリック選択手段と、ビット単位の最尤メトリックの差を計算するメトリック差計算手段と、を備えることを特徴とする。
【０１４４】
この発明によれば、ビット単位に計算した軟判定値を用いて軟判定復号が行えるため、シンボル単位もしくブロック単位に信頼度を計算する場合と比較して、大幅に通信品質を改善することができる。
【０１４５】
つぎの発明にかかる受信方法にあっては、前記受信信号から軟判定値と硬判定値とを出力する判定値出力ステップと、前記軟判定値と前記硬判定値とを所定の方法で合成し、合成後の判定値を軟判定値として出力する判定値合成ステップと、前記受信信号に含まれる雑音電力を推定する雑音電力推定ステップと、前記合成後の軟判定値を雑音電力推定値にしたがって補正する軟判定値補正ステップと、を含むことを特徴とする。
【０１４６】
この発明によれば、硬判定に適した復調方式によって得られた硬判定値と、硬判定に適した復調方式によって得られた軟判定値と、を適宜選択できるため、誤り訂正の符号化率が１に近い場合、もしくは、誤り訂正が施されていないデータがある場合においても、常に最良の伝送品質を提供できる。また、雑音電力推定ステップを含んでいるため、たとえば、受信信号に含まれる雑音の電力が変動する場合においても、その雑音電力の変動を補正できる。
【０１４７】
つぎの発明にかかる受信方法にあっては、前記受信信号のレベル調整を行うレベル調整ステップと、前記レベル調整後の受信信号から軟判定値と硬判定値とを出力する判定値出力ステップと、前記軟判定値と前記硬判定値とを所定の方法で合成し、合成後の判定値を軟判定値として出力する判定値合成ステップと、前記合成後の軟判定値をレベル調整量にしたがって補正する軟判定値補正ステップと、を含むことを特徴とする。
【０１４８】
この発明によれば、レベル調整ステップを含んでいるため、受信信号においてレベル変動が生じる場合に、受信信号の入力レベルを適切なレベルに調整することができ、その調整により軟判定値のずれを補正することができる。
【０１４９】
つぎの発明にかかる受信方法にあっては、前記受信信号から軟判定値と硬判定値とを出力する判定値出力ステップと、前記受信信号に含まれる雑音電力を推定する雑音電力推定ステップと、前記軟判定値を雑音電力推定値にしたがって補正する軟判定値補正ステップと、前記補正後の軟判定値と前記硬判定値とを所定の方法で合成し、合成後の判定値を軟判定値として出力する判定値合成ステップと、を含むことを特徴とする。
【０１５０】
この発明によれば、雑音電力推定ステップを含んでいるため、たとえば、受信信号に含まれる雑音の電力が変動する場合においても、その雑音電力の変動を補正できる。
【０１５１】
つぎの発明にかかる受信方法にあっては、前記受信信号のレベル調整を行うレベル調整ステップと、前記レベル調整後の受信信号から軟判定値と硬判定値とを出力する判定値出力ステップと、前記軟判定値をレベル調整量にしたがって補正する軟判定値補正ステップと、前記補正後の軟判定値と前記硬判定値とを所定の方法で合成し、合成後の判定値を軟判定値として出力する判定値合成ステップと、を含むことを特徴とする。
【０１５２】
この発明によれば、レベル調整ステップを含んでいるため、受信信号においてレベル変動が生じる場合に、受信信号の入力レベルを適切なレベルに調整することができ、その調整により軟判定値のずれを補正することができる。
【０１５３】
つぎの発明にかかる受信方法にあっては、前記Ｐ系統の受信信号から軟判定値と硬判定値とを出力する判定値出力ステップと、前記軟判定値と前記硬判定値とを所定の方法で合成し、合成後の判定値を軟判定値として出力する判定値合成ステップと、を含むことを特徴とする。
【０１５４】
この発明によれば、硬判定に適した復調方式によって得られた硬判定値と、軟判定に適した復調方式によって得られた軟判定値と、を適宜選択できる構成に加えて、ダイバーシチ受信を採用したため、さらに伝送品質を向上させることができる。
【０１５５】
つぎの発明にかかる受信方法にあっては、前記Ｐ系統の受信信号に含まれる雑音電力を個別に推定する雑音電力推定ステップと、前記Ｐ系統の受信信号、および前記Ｐ系統の雑音電力の推定値から、軟判定値と硬判定値とを出力する判定値出力ステップと、前記軟判定値と前記硬判定値とを所定の方法で合成し、合成後の判定値を軟判定値として出力する判定値合成ステップと、を含むことを特徴とする。
【０１５６】
この発明によれば、さらに、雑音電力推定ステップを含んでいるため、たとえば、受信信号に含まれる雑音の電力が変動する場合においても、その雑音電力の変動を補正できる。
【０１５７】
つぎの発明にかかる受信方法にあっては、前記Ｐ系統の受信信号のレベル調整を個別に行うレベル調整方法と、前記Ｐ系統の受信信号、および前記Ｐ系統のレベル調整量から、軟判定値と硬判定値とを出力する判定値出力ステップと、前記軟判定値と前記硬判定値とを所定の方法で合成し、合成後の判定値を軟判定値として出力する判定値合成ステップと、を含むことを特徴とする。
【０１５８】
この発明によれば、さらに、レベル調整ステップを含んでいるため、受信信号においてレベル変動が生じる場合に、受信信号の入力レベルを適切なレベルに調整することができ、その調整により軟判定値のずれを補正することができる。
【０１５９】
【発明の実施の形態】
本発明をより詳細に説術するために、添付の図面に従ってこれを説明する。
【０１６０】
実施の形態１．
第１図は、本発明にかかる無線通信用受信装置（以降、単に受信装置と呼ぶ）の実施の形態１の構成を示す図である。第１図において、１１はアンテナであり、１２はアナログ処理部であり、１３はアナログ／ディジタル（Ａ／Ｄ）変換部であり、１４は軟判定部であり、１５は誤り訂正部である。ここでは、送信側で符号化などの処理が行われてことを想定し、受信側において既知のトレーニング系列が、送信信号の一部に含まれていることを前提とする。また、変調方式として、８ＰＳＫを利用した場合について説明する。なお、８ＰＳＫでは１つのシンボルによって３ビットの信号を伝送することができる。
【０１６１】
つぎに、上記のように構成される受信装置の動作を簡単に説明する。まず、アンテナ１１を経由して受信波を受け取ったアナログ処理部１２では、帯域制限やダウンコンバートなどの処理を行い、その受信波をベースバンドのアナログ信号に変換する。Ａ／Ｄ変換部１３では、受け取ったアナログ信号をディジタルの受信信号（以降、単に受信信号と呼ぶ）に変換する。軟判定部１４では、受け取った受信信号を復調し、その復調結果として軟判定値を計算する。最後に、誤り訂正部１５では、受け取った軟判定値に対してデインタリーブや復号などの誤り訂正を施す。
【０１６２】
つぎに、上記軟判定部１４の構成および動作を詳細に説明する。第２図は、軟判定部１４の第１の構成例を示す図である。第２図において、２１は等化器であり、２２は判定値合成部であり、２３は雑音電力推定部であり、２４は軟判定値補正部であり、２６はビット変換部であり、２７は硬判定部であり、２８は比較部であり、２９は選択部である。
【０１６３】
まず、等化器２１では、受け取った受信信号から軟判定値および硬判定値をそれぞれ推定する。つぎに、判定値合成部２２では、等化器２１の出力する軟判定値および硬判定値の合成処理を行い、その結果を軟判定値として出力する。なお、本実施の形態では、等化器２１が、たとえば、ビット単位の軟判定値と、シンボル単位の軟判定値と、を出力する。一方、雑音電力推定部２３では、受け取った受信信号に含まれるトレーニング系列を利用して、公知の技術により雑音電力を推定する。最後に、軟判定値補正部２４では、雑音電力推定部２３の出力する雑音電力の推定値を用いて軟判定値を除算することで軟判定値の補正を行い、その補正結果を、軟判定部１４出力の軟判定値として、誤り訂正部１５に対して出力する。
【０１６４】
ここで、上記判定値合成部２２の詳細な動作について説明する。まず、ビット変換部２６では、等化器２１が出力するシンボル単位の硬判定値をビット単位の硬判定値に変換する。たとえば、シンボルが、｛０，１，２，３，４，５，６，７｝の何れかを取り、
シンボル“０”が“＋１”，“＋１”，“＋１”の３ビット、
シンボル“１”が“＋１”，“＋１”，“−１”の３ビット、
シンボル“２”が“＋１”，“−１”，“＋１”の３ビット、
シンボル“３”が“＋１”，“−１”，“−１”の３ビット、
シンボル“４”が“−１”，“＋１”，“＋１”の３ビット、
シンボル“５”が“−１”，“＋１”，“−１”の３ビット、
シンボル“６”が“−１”，“−１”，“＋１”の３ビット、
シンボル“７”が“−１”，“−１”，“−１”の３ビット、
に対応する場合、ビット変換部２６は、これらに合わせてシンボル単位の硬判定値をそれぞれ３ビットの硬判定値に変換する。
【０１６５】
一方、硬判定部２７では、等化器２１の出力する軟判定値を、“０”以上の場合は“＋１”、“０”より小さい場合は“−１”、と判定し、それらの結果を出力する。
【０１６６】
比較部２８では、ビット変換部２６の出力する硬判定値と、硬判定部２７の出力する硬判定値と、を比較し、各ビットの値が“一致”か、“不一致”か、を比較結果として出力する。最後に、選択部２９では、等化器２１の出力する軟判定値、ビット変換器２６の出力する硬判定値、および、比較部２８の出力する比較結果、を受け取り、たとえば、比較結果が“一致”の場合に、軟判定値を選択し、一方、“不一致”の場合に、硬判定値を選択し、選択した判定値を軟判定値として出力する。
【０１６７】
このように、第２図に示す軟判定部１４を用いれば、硬判定に適した復調方式によって得られた硬判定値と、軟判定に適した復調方式によって得られた軟判定値と、を適宜選択できるため、誤り訂正の符号化率が１に近い場合、もしくは、誤り訂正が施されていないデータがある場合においても、常に最良の伝送品質を実現できる。また、第２図に示す軟判定部１４では、雑音電力推定部２３を備えているため、たとえば、受信信号に含まれる雑音の電力が変動する場合においても、その雑音電力の変動を補正できる。
【０１６８】
さらに、第２図に示す軟判定部１４では、判定値合成部２２が、ビット単位に軟判定値と硬判定値とを選択するため、シンボルもしくはブロック単位に選択する場合と比較してより精度の高い推定を実施できる。なお、ここでは、ビット単位に軟判定値と硬判定値とを比較する構成について説明したが、これに限らず、たとえば、シンボル単位に軟判定値と硬判定値とを比較する構成としてもよい。この場合、硬判定値と、選択部２９出力の軟判定値からもとめた硬判定値と、が完全に一致することとなるため、誤り訂正が施されていないデータに対して、硬判定復号を実施した場合と同じ特性を得ることができる。
【０１６９】
また、第３図は、軟判定部１４の第２の構成例を示す図である。第３図において、３１はレベル調整部である。なお、前述の第２図と同様の構成については、同一の符号を付してその説明を省略する。
【０１７０】
まず、レベル調整部３１では、受け取った受信信号のレベル調整を行い、レベル調整後の受信信号を等化器２１に出力し、さらに、そのときのレベル調整量を、軟判定値補正部３２に出力する。軟判定値補正部３２では、判定値合成部２２が出力する軟判定値と、レベル調整部３１が出力するレベル調整量と、を受け取り、当該軟判定値の補正を行う。たとえば、レベル調整部３１が式（１）によって受信信号のレベル調整を行った場合、軟判定値補正部３２では、式（２）によって軟判定値の補正を行う。
【０１７１】
ｒ´（ｎ）＝ｒ（ｎ）×Ａ（ｎ）                      …（１）
ｓ´（ｎ）＝ｓ（ｎ）／（Ａ（ｎ）×Ａ（ｎ））        …（２）
【０１７２】
ただし、ｒ（ｎ）は時刻ｎの受信信号を表し、ｒ´（ｎ）は時刻ｎのレベル調整後の受信信号を表し、Ａ（ｎ）は時刻ｎのレベル調整量を表し、ｓ（ｎ）は時刻ｎの補正前の軟判定値を表し、ｓ´（ｎ）は時刻ｎの補正後の軟判定値を表す。
【０１７３】
また、レベル調整部３１の処理は、軟判定部１４のかわりに、アナログ処理部１２にて行うこともできる。さらには、レベル調整部３１の処理を、アナログ処理部１２および軟判定部１４の両方で行うように構成することもでき、この場合には、両方のレベル調整量によって軟判定値を補正する。
【０１７４】
このように、第３図に示す軟判定部１４を用いれば、第２図を用いた場合と同様の効果が得られるとともに、受信信号においてレベル変動が生じる場合に、受信信号の入力レベルを適切なレベルに調整することができ、その調整により軟判定値のずれを補正することができる。
【０１７５】
また、第４図は、軟判定部１４の第３の構成例を示す図である。まず、等化器２１では、受け取った受信信号から、軟判定値および硬判定値をそれぞれ推定する。一方、雑音電力推定部２３では、受け取った受信信号に含まれるトレーニング系列を利用して雑音電力を推定する。つぎに、軟判定値補正部２４では、雑音電力推定部２３の出力する雑音電力の推定値を用いて、等化器２１の出力する軟判定値を補正する。最後に、判定値合成部２２では、前述同様、軟判定値補正部２４の出力する軟判定値と、等化器２１の出力する硬判定値と、のいずれか一方を選択し、その選択結果を、軟判定部１４出力の軟判定値として誤り訂正部１５に対して出力する。
【０１７６】
このように、第４図に示す軟判定部１４では、軟判定値の補正位置を変更した場合においても、第２図を用いた場合と同様に、常に最良の伝送品質を実現できる。
【０１７７】
また、第５図は、軟判定部１４の第４の構成例を示す図である。まず、レベル調整部３１では、受け取った受信信号のレベル調整を行い、レベル調整後の受信信号を等化器２１に対して出力し、さらに、そのときのレベル調整量を軟判定値補正部３２に対して出力する。つぎに、等化器２１では、レベル調整部３１の出力する受信信号を受け取り、軟判定値および硬判定値をそれぞれ推定する。つぎに、軟判定値補正部３２では、等化器２１の出力する軟判定値と、レベル調整部３１の出力するレベル調整量と、を受け取り、レベル調整量に応じて当該軟判定値を補正する。最後に、判定値合成部２２では、前述同様、軟判定値補正部３２の出力する軟判定値と、等化器２１の出力する硬判定値と、のいずれか一方を選択し、その選択結果を、軟判定部１４出力の軟判定値として誤り訂正部１５に対して出力する。
【０１７８】
このように、第５図に示す軟判定部１４では、軟判定値の補正位置を変更した場合においても、第３図を用いた場合と同様に、常に最良の伝送品質を実現できる。
【０１７９】
つぎに、上記第２図〜第５図に示す等化器２１の構成および動作を詳細に説明する。第６図は、等化器２１の第１の構成例を示す図である。第６図において、６１は伝送路特性推定部であり、６２はレプリカ生成部であり、６３ａ，６３ｂ，…６３ｃは枝メトリック生成部であり、６４ａ，６４ｂ，…，６４ｃは加算器であり、６５は生き残りパス選択部であり、６６は生き残りパスメトリック記憶部であり、６７は硬判定系列推定部であり、６８は軟判定値生成部である。
【０１８０】
ここでは、ビタビアルゴリズムに基づいて、生き残りパスのおよび生き残りパスメトリックの更新を行う。なお、以下の説明においては、符号間干渉により影響する過去のシンボル数（メモリ長）をＬとし、ステート数をＭとして説明する。
【０１８１】
また、ステートとは、現在の受信信号に影響を及ぼす過去のシンボルの組み合わせによって構成されるシンボル系列の候補のことである。また、Ｑ値の信号を想定した場合、ステート数Ｍは、ＱLとなる。たとえば、８ＰＳＫを想定した場合はＱ＝８であるから、Ｌ＝１の場合はＭ＝８となり、Ｌ＝２の場合はＭ＝６４となる。さらに、現在の受信信号に影響を及ぼす過去のシンボルと、現在のシンボルの組み合わせと、によって構成される（Ｌ＋１）シンボルのシンボル系列の候補を「枝」と呼び、トレリス図上におけるステートとステートとの遷移に相当する。したがって、Ｑ値の信号を想定した場合、枝数はＱ(L+1)となる。
【０１８２】
上記のように構成される等化器２１において、まず、伝送路特性推定部６１では、受け取った受信信号に含まれるトレーニング系列を利用して、公知の技術により伝送路特性の推定値を計算する。なお、伝送路特性の推定値を、以降、単に伝送路特性と呼ぶ。
【０１８３】
レプリカ生成部６２では、伝送路特性推定部６１の出力する伝送路特性を受け取り、（８×Ｍ）個の枝に対応したレプリカ（受信信号の推定値に相当）を式（３）によって計算し、レプリカｘ（ｉ）を対応する枝メトリック生成部６３ａ〜６３ｃに対して出力する。なお、レプリカ生成部６２では、次のレプリカを計算するまで、現在のレプリカを記憶する。
【０１８４】
ｘ（ｉ）＝  Σ  ｈ（ｊ）×Ｉ´（Ｌ−ｊ，ｉ）      …（３）
【０１８５】
ただし、Σはｊ＝０，…，Ｌにおける総和を表し、ｉは枝の番号を表し、ここでは、ｉ＝１，２，…，（８×Ｍ）の枝について、それぞれ計算する。また、ｘ（ｉ）はｉ番目の枝（枝メトリック生成部６３ａ〜６３ｃのいずれか）に対応するレプリカを表し、ｈ（ｊ）はｊシンボルだけ遅延したシンボルに対応する伝送路特性を表し、ｈ（０）は遅延なく到達するシンボルに対応する伝送路特性を表す。また、Ｉ´（ｊ，ｉ）はｉ番目の枝に対応するシンボル系列のｊ番目のシンボルを表す。
【０１８６】
レプリカを計算後、枝メトリック生成部６３ａ〜６３ｃ（８×Ｍ個）では、受信信号とレプリカ生成部６２の出力するレプリカとを受け取り、枝メトリックを式（４）によって計算する。
【０１８７】
ｅ（ｎ，ｉ）＝−｜ｒ（ｎ）−ｘ（ｉ）｜2        …（４）
【０１８８】
ただし、｜ａ｜は複素数ａの絶対値を表し、ｅ（ｎ，ｉ）は時刻ｎにｉ番目の枝メトリック生成部が出力する枝メトリックを表す。
【０１８９】
なお、枝メトリックの計算方法は、式（４）に限定されるわけではなく、たとえば、式（５）のように、マンハッタン距離を利用する方法やその他の方法を利用することとしてもよい。
【０１９０】
ｅ（ｎ，ｉ）＝−｜ｒ（ｎ）−ｘ（ｉ）｜        …（５）
【０１９１】
上記のように枝メトリックを計算後、ｉ個の加算器６４ａ〜６４ｃ（ｉ＝１，…，（８×Ｍ））は、各枝メトリック生成部から出力される枝メトリックと、生き残りパスメトリック記憶部６６に記憶されている生き残りパスメトリックと、を加算し、各枝に対応するパスメトリックを計算する。
【０１９２】
各枝に対応するパスメトリックを計算後、生き残りパス選択部６５では、加算器６４ａ〜６４ｃの出力するパスメトリックから、Ｍ個のステートに対応するパスメトリックを選択し、その結果を生き残りパスメトリックとして、生き残りパスメトリック記憶部６６に対して出力する。このとき、生き残りパスメトリック記憶部６６では、生き残りパス選択部６５の出力するＭ個のステートに対応した生き残りパスメトリックを新たに記憶する。また、生き残りパス選択部６５では、「どのパスを選択したか」というパス選択情報を硬判定系列推定部６７に対して出力する。
【０１９３】
最後に、硬判定系列推定部６７では、生き残りパス選択部６５の出力するパス選択情報を記憶し、生き残りパスに沿って時間と反対方向にたどることにより硬判定値を決定し、そして、軟判定値生成部６８では、ｉ個の加算器６４ａ〜６４ｃの出力するパスメトリックを受け取り、これらから軟判定値を計算する。
【０１９４】
ここで、上記軟判定値生成部６８の詳細な動作について説明する。第７図は、軟判定値生成部６８の構成を示す図である。第７図において、７１は最尤メトリック選択部であり、７２ａ，７２ｂ，７２ｃはビット単位最尤メトリック選択部であり、７３ａ，７３ｂ，７３ｃはメトリック差計算部である。
【０１９５】
まず、シンボル単位の最尤メトリック選択部７１では、ｉ個の加算器６４ａ〜６４ｃの出力するパスメトリックを受け取り、上記Ｉ´（０，ｉ）が一致するパスメトリックの中で、最大の値を持つパスメトリックを選択し、そのパスメトリックを各Ｉ´（０，ｉ）に対応した最尤メトリックとして出力する。なお、Ｉ´（０，ｉ）は、ステートに対応するシンボル系列の１番目のシンボルである。したがって、最尤メトリック選択部７１の出力する最尤メトリックは、Ｑ値信号の場合、Ｑ個となる。具体的にいうと、８ＰＳＫを想定すると、Ｑ＝８となり、Ｉ´（０，ｉ）＝０，１，２，３，４，５，６，７のそれぞれに対応した８個の最尤メトリックが出力されることになる。
【０１９６】
ビット単位最尤メトリック選択部７２ａ，７２ｂ，７２ｃでは、シンボル単位の最尤メトリック選択部７１の出力する最尤メトリックを受け取り、ｉ番目のビットが一致する最尤メトリックの中で、最大の値を持つ最尤メトリックを選択し、そのパスメトリックをビット単位の最尤メトリックとして出力する。したがって、ビット単位最尤メトリック選択部７２ａ〜７２ｃは、着目するビットが“＋１”であるビット単位の最尤メトリックと、“−１”であるビット単位の最尤メトリックと、を出力する。
【０１９７】
メトリック差計算部７３ａ，７３ｂ，７３ｃでは、ビット単位最尤メトリック選択部７２ａ，７２ｂ，７２ｃの出力するビット単位の最尤メトリックを受け取り、着目するビットが“＋１”の最尤メトリックから、着目するビットが“−１”の最尤メトリックを減算し、その結果をビット単位の軟判定値として出力する。なお、軟判定値生成部６８は、Ｑ＝２の場合、ビット単位最尤メトリック選択部７２ａ，７２ｂ，７２ｃが不要となる。
【０１９８】
このように、第６図に示す等化器２１を用いれば、ビタビアルゴリズム（最尤系列推定）に基づいて硬判定値を計算し、また、ビタビアルゴリズムにおいて逐一計算されるパスメトリックに基づいて軟判定値を計算するため、別々に計算する場合よりも小規模な処理で硬判定値と軟判定値とを推定できる。また、第７図に示す軟判定値生成部６８を用いれば、ビット単位に計算した軟判定値を用いて軟判定復号が行えるため、シンボル単位もしくはブロック単位に信頼度を計算する場合と比較して、大幅に通信品質を改善することができる。
【０１９９】
また、第８図は、等化器２１の第２の構成例を示す図である。第８図において、８１は前述の軟判定値生成部６８とは動作の異なる軟判定値生成部である。なお、前述の第６図と同様の構成については、同一の符号を付してその説明を省略する。
【０２００】
ここでは、軟判定値生成部８１が、ｉ個の加算器６４ａ〜６４ｃの出力するパスメトリックの代わりに、たとえば、生き残りパス選択部６５出力のＭ個のステートに対応した生き残りパスメトリックを受け取る。この場合、Ｉ´（１，ｉ）が一致するパスメトリックの中で、最大の値を持つパスメトリックを選択し、そのパスメトリックを各Ｉ´（１，ｉ）に対応した最尤メトリックとして出力する。
【０２０１】
このように、第８図に示す等化器２１を用いれば、パスメトリック数の１／Ｑの生き残りパスメトリックをもとに軟判定値を計算するため、ビタビアルゴリズムにより逐一計算されるパスメトリックに基づいて軟判定値を計算する第６図の構成よりも、大幅に処理数を削減できる。
【０２０２】
また、第９図は、等化器２１の第３の構成例を示す図である。第９図において、９１は前述の生き残りパス選択部６５とは動作の異なる生き残りパス選択部であり、９２は前述のレプリカ生成部６２とは動作の異なるレプリカ生成部である。なお、前述の第６図および第８図と同様の構成については、同一の符号を付してその説明を省略する。
【０２０３】
たとえば、第６図に示す等化器では、ステート数ＭをＱLとしたが、ここでは、ステート数ＭをＱVとする（０＜Ｖ＜Ｌの整数）。この場合、Ｉ´（Ｌ−Ｖ，ｉ）からＩ´（Ｌ，ｉ）は、枝に対して一対一で対応し、Ｉ´（０，ｉ）からＩ’（Ｌ−Ｖ−１，ｉ）は、生き残りパス選択部９１の選択結果を利用する。すなわち、生き残りパス選択部９１が、パス選択情報を硬判定系列推定部６７に加えてレプリカ生成部９２に対しても出力し、レプリカ生成部９２では、このパス選択情報をもとにレプリカを逐次計算する。
【０２０４】
ここで、上記レプリカ生成部９２の詳細な動作について説明する。第１０図は、レプリカ生成部９２の構成を示す図である。第１０図において、１００ａ，１００ｂ，…，１００ｃはレプリカ計算部であり、１０１はＲＯＭであり、１０２ａ，１０２ｂ，１０２ｃ，１０２ｄ，…，１０２ｅは乗算器であり、１０３は加算部である。
【０２０５】
まず、ｉ個のレプリカ計算部１００ａ〜１００ｃ（ｉ＝１，２，…，（８×Ｍ））では、それぞれ式（６）によって、ｉ番目の枝に対応したレプリカを計算する。
【０２０６】
ｘ（ｉ）＝  Σ  ｈ（ｊ）×Ｉ’（Ｌ−ｊ，ｉ）        …（６）
ただし、Σは、ｊ＝０，…，Ｌの総和を表す。
【０２０７】
具体的にいうと、ＲＯＭ１０１では、式（６）のＩ´（Ｌ−Ｖ，ｉ）からＩ´（Ｌ，ｉ）の固定シンボル列を出力する。つぎに、（Ｖ＋１）個の乗算器１０２ａ〜１０２ｃでは、ＲＯＭ１０１の出力するＩ´（Ｌ，ｉ）からＩ´（Ｌ−Ｖ，ｉ）と、伝送路特性推定部６１の出力する伝送路特性ｈ（０）からｈ（Ｖ）と、の積をそれぞれ計算する。また、残りの乗算器１０２ｄ〜１０２ｅでは、生き残りパス選択部９１の出力するＩ´（Ｌ−Ｖ−１，ｉ）からＩ´（Ｌ，ｉ）と、伝送路特性推定部６１の出力する伝送路特性ｈ（Ｖ＋１）からｈ（Ｌ）と、の積をそれぞれ計算する。最後に、加算部１０３では、式（６）のΣに相当する演算を行い、その結果をレプリカとして、各枝メトリック生成部に対して出力する。
【０２０８】
このように、第９図に示す等化器２１を用いれば、レプリカ生成部９２がパス選択情報（判定値）を利用することで、レプリカの生成にかかる処理量を大幅に削減することができる。また、パス選択情報を利用する場合は、軟判定値の精度が劣化してしまうが、上記のように、判定値合成部２２を用いて硬判定値と合成することにより軟判定値の劣化を改善することができるため、比較的小規模な処理量で優れた伝送品質を確保できる。なお、第９図に示す等化器２１においては、軟判定値生成部６８の代わりに、第８図に示す軟判定値生成部８１を利用することとしてもよい。
【０２０９】
また、第１１図は、等化器２１の第４の構成例を示す図である。第１１図において、１１１は前述の伝送路特性推定部６１とは動作の異なる伝送路特性推定部であり、１１２は前述のレプリカ生成部６２および９２とは動作の異なるレプリカ生成部である。なお、前述の第９図と同様の構成については、同一の符号を付してその説明を省略する。
【０２１０】
たとえば、伝送路特性推定部１１１では、生き残りパス選択部９１の出力する生き残りパス選択情報を入力し、KUBO et al,"An Adaptive Maximum-Likelihood
Sequence Estimator for Fast Time-Varying Intersymbol Interference Channels",IEEE Trans. on comm, vol. 42, no. 2/3/4 （1994）に記載のように、ステート単位に伝送路特性を更新する。なお、トレーニング系列に対応する期間では、第９図の構成例の伝送路特性推定部６１と同様に、伝送路特性の推定値を計算し、各ステートに対応する伝送路特性の推定値の初期値とする。
【０２１１】
レプリカ生成部１１２では、伝送路特性推定部１１１の出力する各ステートに対応した伝送路特性の推定値と、生き残りパス選択部９１の出力する生き残りパス選択情報と、を受け取り、各枝に対応するレプリカを逐次更新する。
【０２１２】
このように、第１１図に示す等化器２１を用いれば、生き残りパス単位に伝送路特性の推定値を更新するため、通信条件が非常に高速に変動する場合においても、精度の高い通信を実現できる。
【０２１３】
なお、第１１図に示す等化器２１の応用例としては、たとえば、以下の４つの構成が考えられる。まず、第１の応用例としては、たとえば、伝送路特性推定部１１１が、受信信号と、生き残りパス選択部９１の出力する生き残りパス選択情報と、を受け取り、既知のＬＭＳアルゴリズムやＲＬＳアルゴリズムなどの適応アルゴリズムを用いて、伝送路特性の推定値を更新する。この場合、レプリカ生成部１１２では、ステート単位ではなく、各ステート共通の伝送路特性の推定値に基づいて、各枝に対応したレプリカを逐次更新する。このように、第１の応用例では、生き残りパス選択情報から得られる伝送路特性の推定値を、既知の適応アルゴリズムを用いて逐次更新することにより、通信条件が高速に変動するような場合においても、品質の良い通信を実現できる。
【０２１４】
第２の応用例としては、伝送路特性推定部１１１が、上記同様、受信信号と生き残りパス選択情報とを受け取り、上記既知の適応アルゴリズムを用いて、伝送路特性の推定値を更新する。そして、レプリカ生成部１１２では、伝送路特性の推定値が更新される度にレプリカを更新するのではなく、ある一定周期でレプリカを更新する。このように、第２の応用例では、さらに、更新された伝送路特性の推定値を、逐一レプリカに反映させるのではなく間欠的に反映させることで、第１の応用例よりもレプリカ計算に必要な演算量を削減することができる。
【０２１５】
第３の応用例としては、伝送路特性推定部１１１が、受信信号と、硬判定系列推定部６７の出力する硬判定値と、を受け取り、上記既知の適応アルゴリズムを用いて、伝送路特性の推定値を更新する。この場合、レプリカ生成部１１２では、ステート単位ではなく、各ステート共通の伝送路特性の推定値に基づいて、各枝に対応したレプリカを逐次更新する。このように、第３の応用例では、上記硬判定値から得られる伝送路特性の推定値を、既知の適応アルゴリズムを用いて逐次更新することにより、通信条件が高速に変動するような場合においても、品質の良い通信を実現できる。
【０２１６】
第４の応用例としては、伝送路特性推定部１１１が、上記同様、受信信号と硬判定値とを受け取り、上記既知の適応アルゴリズムを用いて、伝送路特性の推定値を更新する。そして、レプリカ生成部１１２では、伝送路特性の推定値が更新される度にレプリカを更新するのではなく、ある一定周期でレプリカを更新する。このように、第４の応用例では、さらに、更新された伝送路特性の推定値を、逐一レプリカに反映させるのではなく間欠的に反映させることで、第３の応用例よりもレプリカ計算に必要な演算量を削減することができる。
【０２１７】
以上、実施の形態１によれば、硬判定復号によって得られた硬判定値と、軟判定復号によって得られた軟判定値と、を適宜選択できるため、誤り訂正の符号化率が１に近い場合、もしくは、誤り訂正が施されていないデータがある場合においても、常に最良の伝送品質を提供できる。
【０２１８】
実施の形態２．
第１２図は、本発明にかかる受信装置の実施の形態２の構成を示す図である。第１２図において、１２１ａ，…，１２１ｂはアンテナであり、１２２ａ，…，１２２ｂはアナログ処理部であり、１２３ａ，…，１２３ｂはＡ／Ｄ変換部であり、１２４は軟判定部であり、１５は誤り訂正部であり、これは、先に説明した実施の形態１を、ダイバーシチ受信に適用した場合の構成を示す。以降、本実施の形態においては、前述の実施の形態１と異なる部分についてのみ説明を行う。
【０２１９】
まず、アンテナ１２１ａ〜１２１ｂを経由して受信波を受け取ったアナログ処理部１２２ａ〜１２２ｂでは、それそれ帯域制限やダウンコンバートなどの処理を行い、受信波をベースバンドのアナログ信号に変換する。つぎに、Ａ／Ｄ変換部１２３ａ〜１２３ｂでは、受け取ったアナログ信号をディジタルの受信信号（以下、受信信号と呼ぶ）に変換する。つぎに、軟判定部１２４では、Ａ／Ｄ変換部１２３ａ〜１２３ｂが出力するＰ系統の受信信号を受け取り、その復調結果として軟判定値を出力する。最後に、誤り訂正部１５では、前述同様、デインタリーブや復号などの誤り訂正を行う。
【０２２０】
つぎに、上記軟判定部１２４の動作を詳細に説明する。第１３図は、軟判定部１２４の第１の構成例を示す図である。第１３図において、１３１は等化器であり、１３２は判定値合成部である。
【０２２１】
まず、等化器１３１では、受け取ったＰ系統の受信信号から軟判定値および硬判定値をそれぞれ推定する。つぎに、判定値合成部１３２では、前述の判定値合成部２２と同様の手順で、等化部１３１の出力する軟判定値および硬判定値の合成処理を行い、その結果を軟判定値として出力する。
【０２２２】
ここで、上記等化器１３１の詳細な動作について説明する。第１４図は、等化器１３１の構成を示す図である。第１４図において、１６１は伝送路特性推定部であり、１６２はレプリカ生成部であり、１６３ａ，１６３ｂ，…，１６３ｃは枝メトリック生成部であり、ビタビアルゴリズムに基づいて生き残りパスおよび生き残りパスメトリックの更新を行う。なお、前述の実施の形態１と同様の構成については、同一の符号を付してその説明を省略する。また、以下の説明では８ＰＳＫを想定する。
【０２２３】
まず、伝送路特性推定部１６１では、Ｐ系統の受信信号のそれぞれに含まれるトレーニング系列を利用して、公知の技術により、各受信信号に対応した伝送路特性を推定する。
【０２２４】
レプリカ生成部１６２では、伝送路特性推定部１６１の出力するＰ系統の伝送路特性の推定値を受け取り、（８×Ｍ）個の枝に対応したＰ系統のレプリカを式（７）によって計算する。そして、Ｐ系統のレプリカｘ（ｉ，ｐ）（ｐ＝１，２，…，Ｐ）を、対応するｉ番目の枝メトリック生成部１６３ａ〜１６３ｃに対してそれぞれ出力する。なお、レプリカ生成部１６２は、次のレプリカを計算するまで現在のレプリカを記憶する。
【０２２５】
ｘ（ｉ，ｐ）＝  Σ  ｈ（ｊ，ｐ）×Ｉ’（Ｌ−ｊ，ｉ）      …（７）
【０２２６】
ただし、Σはｊ＝０，…，Ｌの総和を表し、ｐは同時に受け取る受信信号の番号を表し、ここでは、ｐ＝１，２，…，Ｐそれぞれについて、レプリカを計算する。また、ｉは枝の番号を表し、ｉ＝１，２，…，（８×Ｍ）について、それぞれレプリカを計算する。また、ｘ（ｉ，ｐ）はｐ番目の受信信号のｉ番目の枝（ｉ個の枝メトリック生成部）に対応するレプリカを表し、ｈ（ｊ，ｐ）はｐ番目の受信信号のｊシンボルだけ遅延したシンボルに対応する伝送路特性を表し、
ｈ（０，ｐ）はｐ番目の受信信号の遅延なく到達したシンボルに対応する伝送路特性を表す。また、Ｉ´（ｊ，ｉ）はｉ番目の枝に対応するシンボル系列のｊ番目のシンボルを表し、各受信信号に対して共通である。
【０２２７】
Ｐ系統のレプリカを計算後、ｉ番目の枝メトリック生成部１６３ａ〜１６３ｃでは、Ｐ系統の受信信号ｒ（ｎ，ｐ）と、レプリカ生成部１６２の出力するレプリカｘ（ｉ，ｐ）と、を受け取り、枝メトリックを式（８）によって計算する。
【０２２８】
ｅ（ｎ，ｉ）＝  Σ  −｜ｒ（ｎ，ｐ）−ｘ（ｉ，ｐ）｜2    …（８）
【０２２９】
ただし、Σは、ｐ＝１，２，…，Ｐの総和を表し、ｅ（ｎ，ｉ）は時刻ｎにおいてｉ番目の枝メトリック生成部１６３ａ〜１６３ｃが出力する枝メトリックを表す。
【０２３０】
なお、枝メトリックの計算方法は、式（８）に限定されるわけではなく、たとえば、式（９）のように、マンハッタン距離を利用する方法やその他の方法を利用することとしてもよい。
【０２３１】
ｅ（ｎ，ｉ）＝  Σ  −｜ｒ（ｎ，ｐ）−ｘ（ｉ，ｐ）｜ （９）
【０２３２】
以降、等化器１３１は、前述の実施の形態における等化器２１と同様の手順で動作し、結果的に、硬判定系列推定部６７が硬判定値を出力し、そして、軟判定値生成部６８が軟判定値を出力する。
【０２３３】
なお、ここでは、実施の形態１における第６図の構成を応用した等化器について説明したが、これに限らず、等化器１３１は、たとえば、実施の形態１の第８図、第９図および第１１図の構成を応用することとしてもよい。
【０２３４】
また、第１５図は、軟判定部１２４の第２の構成例を示す図である。第１５図において、１４１ａ，…，１４１ｂは雑音電力推定部であり、１４２は等化器である。なお、前述の第１３図と同様の構成については、同一の符号を付してその説明を省略する。
【０２３５】
まず、雑音電力推定部１４１ａ〜１４１ｂでは、それぞれに対応した受信信号に含まれたトレーニング系列を利用して、それぞれの受信信号の雑音電力を推定する。等化器１４２では、Ｐ系統の受信信号と、各受信信号に対応する雑音電力の推定値と、を受け取り、前述の第２図と同様の手順で、軟判定値および硬判定値をそれぞれ推定する。
【０２３６】
なお、第１５図に示す等化器１４２（第１４図参照）では、ｉ個の枝メトリック生成部１６３ａ〜１６３ｃが、Ｐ系統の受信信号ｒ（ｎ，ｐ）と、雑音電力推定部１４１ａ〜１４１ｂの出力する雑音電力の推定値Ｙ（ｐ）と、レプリカ生成部１６２の出力するレプリカｘ（ｉ，ｐ）と、を受け取り、枝メトリックを式（１０）によって計算する。
【０２３７】
ｅ（ｎ，ｉ）＝  Σ  −（｜ｒ（ｎ，ｐ）−ｘ（ｉ，ｐ）｜2）／Ｙ（ｐ）
…（１０）
ただし、Σは、ｐ＝１，２，…，Ｐの総和を表す。
【０２３８】
また、第１６図は、軟判定部１２４の第３の構成例を示す図である。第１６図において、１５１ａ，…，１５１ｂはレベル調整部であり、１５２は等化器である。なお、前述の第１３図および第１５図と同様の構成については、同一の符号を付してその説明を省略する。
【０２３９】
まず、レベル調整部１５１ａ〜１５１ｂでは、それぞれに対応した受信信号を受け取り、その受信信号のレベル調整を行い、レベル調整後の受信信号およびレベル調整量を等化器１５２に対して出力する。等化器１５２では、レベル調整部１５１ａ〜１５１ｂの出力する受信信号と、レベル調整量と、を受け取り、前述の第３図と同様の手順で、軟判定値および硬判定値をそれぞれ推定する。
【０２４０】
なお、第１６図に示す等化器１５２（第１４図参照）では、（８×Ｍ）個の枝メトリック生成部１６３ａ〜１６３ｃが、レベル調整部１５１ａ〜１５１ｂの出力するＰ系統の受信信号ｒ’（ｎ，ｐ）およびレベル調整量Ａ（ｎ，ｐ）と、レプリカ生成部１６２の出力するレプリカｘ（ｉ，ｐ）と、を受け取り、枝メトリックを式（１１）によって計算する。
【０２４１】
ｅ（ｎ，ｉ）＝  Σ  −（｜ｒ’（ｎ，ｐ）−ｘ（ｉ，ｐ）｜／
Ａ（ｎ，ｐ））2                  …（１１）
【０２４２】
ただし、Σは、ｐ＝１，２，…，Ｐの総和を表す。また、レベル調整部１５１ａ〜１５１ｂでは、受信信号が式（１２）によってレベル調整される。
【０２４３】
ｒ’（ｎ，ｐ）＝ｒ（ｎ，ｐ）×Ａ（ｎ，ｐ）        …（１２）
【０２４４】
また、レベル調整部１５１ａ〜１５１ｂの処理は、軟判定部１２４のかわりに、アナログ処理部１２２ａ〜１２２ｂにて行うこともできる。さらには、レベル調整部１５１ａ〜１５１ｂの処理を、アナログ処理部１２２ａ〜１２２ｂおよび軟判定部１２４の両方で行うように構成することもでき、この場合には、両方のレベル調整量によって軟判定値を補正する。
【０２４５】
このように、実施の形態２によれば、ダイバーシチ受信に対応したため、すなわち、枝メトリック生成時に、ダイバーシチ受信した受信信号のそれぞれについてメトリックを合成し、合成後のパスメトリックをもとに等化処理を行うこととしたため、実施の形態１よりもさらに品質のよい通信を提供できる。
【０２４６】
実施の形態３．
第１７図は、本発明にかかる無線通信用受信装置の実施の形態３の構成を示す図である。第１７図において、２０１は伝送路特性推定部であり、２０２は時間反転制御部であり、２０３は受信信号反転部であり、２０４は軟判定値反転部である。なお、前述の実施の形態１と同様の構成については、同一の符号を付してその説明を省略する。
【０２４７】
伝送路特性推定部２０１では、受け取った受信信号に含まれるトレーニング系列を利用して、公知の技術により伝送路特性の推定値を計算する。前述同様、伝送路特性の推定値を、以降、単に伝送路特性と呼ぶ。
【０２４８】
時間反転制御部２０２では、伝送路特性推定部２０１の出力する伝送路特性をもとに受信信号の処理方向を決定する。たとえば、伝送路特性の電力（絶対値の２乗）を計算し、最大電力となる位置が有効な伝送路特性の前半にある場合は、受信信号の時間反転を行わないように受信信号反転部２０３を制御する。逆に、最大電力となる位置が有効な伝送路特性の後半にある場合には、受信信号の時間反転を行うように受信信号反転部２０３を制御する。
【０２４９】
ここで、上記時間反転制御部２０２の制御を具体的に説明する。なお、本実施の形態では、伝送路特性の電力が以下のような値だった場合を一例として説明する。
｜ｈ（０）｜２＝２０
｜ｈ（１）｜２＝３９
｜ｈ（２）｜２＝５４
｜ｈ（３）｜２＝２７
｜ｈ（４）｜２＝８
【０２５０】
たとえば、有効な伝送路特性を１０以上と規定した場合、有効な伝送路特性は、ｈ（０），ｈ（１），ｈ（２），ｈ（３）までとなる。つぎに、電力が最大となる伝送路特性は、ｈ（２）となり、有効な伝送路特性の後半に位置することになるので、ここでは、上記のとおり受信信号を反転する。なお、この例では、ｈ（０），ｈ（１）が前半、ｈ（２），ｈ（３）が後半となる。
【０２５１】
受信信号反転部２０３では、時間反転制御部２０２の制御に従って、受信信号を反転する。ただし、受信信号を反転する場合、有効伝送路の最大遅延シンボル数だけずらして時間反転を行う。このように、受信信号の時間反転を行った場合、時間反転後の伝送路特性ｈ’（０），ｈ’（１），ｈ’（２），ｈ’（３）は、
ｈ’（０）＝ｈ（３）
ｈ’（１）＝ｈ（２）
ｈ’（２）＝ｈ（１）
ｈ’（３）＝ｈ（０）
となる。
【０２５２】
そして、その電力は、
｜ｈ’（０）｜２＝２７
｜ｈ’（１）｜２＝５４
｜ｈ’（２）｜２＝３９
｜ｈ’（３）｜＝２０
となる。
【０２５３】
このように、上記反転処理を行うことで、時間反転前においては、２シンボル遅延の後に伝送路特性の電力が最大となっていたが、時間反転後においては、１シンボル遅延の後に伝送路特性の電力が最大となり、最大電力の伝送路特性の遅延時間を大幅に小さくすることができる。
【０２５４】
軟判定部１４は、先に説明した実施の形態１と同様に動作し、推定した軟判定値を軟判定値反転部２０４に対して出力する。
【０２５５】
軟判定値反転部２０４では、時間反転制御部２０２の制御に従って、軟判定値を時間反転し（もとの順序に戻し）、その結果を誤り訂正部１５に対して出力する。
【０２５６】
このように、実施の形態３によれば、電力が高くかつ遅延時間の大きい遅延波が存在するような場合であっても、受信信号を時間反転することにより、遅延時間を小さくした状態で軟判定処理を行うことができる。
【０２５７】
実施の形態４．
第１８図は、本発明にかかる無線通信用受信装置の実施の形態４の構成を示す図である。第１８図において、２１１は等化方式制御部であり、２１２ａ，２１２ｂは軟判定部である。なお、前述の実施の形態１および３と同様の構成については、同一の符号を付してその説明を省略する。
【０２５８】
伝送路特性推定部２０１では、実施の形態３と同様に、伝送路特性の推定する。等化方式制御部２１１では、伝送路特性推定部２０１の出力する伝送路特性に基づいて、受信信号を処理するための等化方式を選択する。たとえば、伝送路特性の電力（絶対値の２乗）を計算し、有効な伝送路特性の最大遅延時間が所定の基準よりも大きい場合は軟判定部２１２ａを選択し、有効な伝送路特性の最大遅延時間が所定の基準よりも短い場合には軟判定部２１２ｂを選択する。
【０２５９】
軟判定部２１２ａでは、伝送路特性の逐次更新を行わずに、等化器のステート数Ｍを軟判定部２１２ｂより大きくする。たとえば、第２図〜第５図の軟判定部に第９図の等化器を含んだ構成とし、ステート数をＭ＝６４とする。一方、軟判定部２１２ｂでは、伝送路特性の逐次更新を行い、等化器のステート数Ｍを軟判定部２１２ａより小さくする。たとえば、第２図〜第５図の軟判定部に第１１図の等化器を含んだ構成とし、ステート数をＭ＝８とする。
【０２６０】
以上、本実施の形態によれば、伝送路の状態に応じて適切な等化方式を選択できるため、通信品質をさらに向上させることができる。また、伝送路特性の逐次更新を行わない代わりにステート数を大きくした等化器と、伝送路特性の逐次更新を行う代わりにステート数を小さくした等化器を組み合わせることにより、処理量の増加を抑えつつ、通信品質の改善を図ることができる。
【０２６１】
なお、第１９図に示すように、本実施の形態の構成と前述の実施の形態３の構成とを組み合わせた構成としてもよい。この場合は、両方の効果を同時に得ることができる。また、軟判定部２１２ａは、伝送路特性の逐次更新を行わない構成であれば、第９図以外の構成を用いてもよい。また、軟判定部２１２ｂは、伝送路特性の逐次更新を行う構成であれば、第１１図以外の構成を用いてもよい。
【０２６２】
以上のように、本発明にかかる無線通信用受信装置は、自動車電話，携帯電話，コードレス電話等の無線通信分野に有用であり、特に、符号間干渉に伴う周波数選択性フェージングが存在する通信環境で動作する無線通信用受信装置に適している。
【０２６３】
【発明の効果】
この発明によれば、硬判定に適した復調方式によって得られた硬判定値と、軟判定に適した復調方式によって得られた軟判定値と、を適宜選択できるため、誤り訂正の符号化率が１に近い場合、もしくは、誤り訂正が施されていないデータがある場合においても、常に最良の伝送品質を提供できる。
【図面の簡単な説明】
【図１】  第１図は、本発明にかかる無線通信用受信装置の実施の形態１の構成を示す図である。
【図２】  第２図は、軟判定部の第１の構成例を示す図である。
【図３】  第３図は、軟判定部の第２の構成例を示す図である。
【図４】  第４図は、軟判定部の第３の構成例を示す図である。
【図５】  第５図は、軟判定部の第４の構成例を示す図である。
【図６】  第６図は、等化器の第１の構成例を示す図である。
【図７】  第７図は、軟判定値生成部の構成を示す図である。
【図８】  第８図は、等化器の第２の構成例を示す図である。
【図９】  第９図は、等化器の第３の構成例を示す図である。
【図１０】  第１０図は、レプリカ生成部の構成を示す図である。
【図１１】  第１１図は、等化器の第４の構成例を示す図である。
【図１２】  第１２図は、本発明にかかる無線通信用受信装置の実施の形態２の構成を示す図である。
【図１３】  第１３図は、軟判定部の第１の構成例を示す図である。
【図１４】  第１４図は、等化器の構成を示す図である。
【図１５】  第１５図は、軟判定部の第２の構成例を示す図である。
【図１６】  第１６図は、軟判定部の第３の構成例を示す図である。
【図１７】  第１７図は、本発明にかかる無線通信用受信装置の実施の形態３の構成を示す図である。
【図１８】  第１８図は、本発明にかかる無線通信用受信装置の実施の形態４の構成を示す図である。
【図１９】  第１９図は、本発明にかかる無線通信用受信装置の実施の形態４の別構成を示す図である。
【符号の説明】
１１，１２１ａ，１２１ｂ  アンテナ
１２，１２２ａ，１２２ｂ  アナログ処理部
１３，１２３ａ，１２３ｂ  アナログ／ディジタル（Ａ／Ｄ）変換部
１４，１２４，２１２ａ，２１２ｂ  軟判定部
１５  誤り訂正部
２１，１３１，１４２，１５２  等化器１３１
２２，１３２  判定値合成部
２３，１４１ａ，１４１ｂ  雑音電力推定部
２４  軟判定値補正部
２６  ビット変換部
２７  硬判定部
２８  比較部
２９  選択部
３１，１５１ａ，１５１ｂ  レベル調整部
３２  軟判定値補正部
６１，１１１，１６１，２０１  伝送路特性推定部
６２，９２，１１２，１６２  レプリカ生成部
６３ａ，６３ｂ，６３ｃ，１６３ａ，１６３ｂ，１６３ｃ  枝メトリック生成部
６４ａ，６４ｂ，６４ｃ  加算器
６５，９１  生き残りパス選択部
６６  生き残りパスメトリック記憶部
６７  硬判定系列推定部
６８，８１  軟判定値生成部
７１  最尤メトリック選択部
７２ａ，７２ｂ，７２ｃ  ビット単位最尤メトリック選択部
７３ａ，７３ｂ，７３ｃ  メトリック差計算部
１００ａ，１００ｂ，１００ｃ  レプリカ計算部
１０１  ＲＯＭ
１０２ａ，１０２ｂ，１０２ｃ，１０２ｄ，１０２ｅ  乗算器
１０３  加算部
２０２  時間反転制御部
２０３  受信信号反転部
２０４  軟判定値反転部
２１１  等化方式制御部
【図１】
0004188079.tif 000002
【図２】
0004188079.tif 000003
【図３】
0004188079.tif 000004
【図４】
0004188079.tif 000005
【図５】
0004188079.tif 000006
【図６】
0004188079.tif 000007
【図７】
0004188079.tif 000008
【図８】
0004188079.tif 000009
【図９】
0004188079.tif 000010
【図１０】
0004188079.tif 000011
【図１１】
0004188079.tif 000012
【図１２】
0004188079.tif 000013
【図１３】
0004188079.tif 000014
【図１４】
0004188079.tif 000015
【図１５】
0004188079.tif 000016
【図１６】
0004188079.tif 000017
【図１７】
0004188079.tif 000018
【図１８】
0004188079.tif 000019
【図１９】
0004188079.tif 000020